(57)【要約】      （修正有）【課題】配線の引き回しを簡素化してケーブルの配線作業の作業性を向上できるとともに、光ファイバケーブル、第１の接続部及び第２の接続部に外力が加わった場合であっても光ファイバケーブル及び導電性ケーブルによって制御部と表示部との間の接続を維持でき、かつノイズの影響を受け難い遊技機を提供する。【解決手段】雌コネクタ９３が、光ファイバケーブル８１〜８４が挿通される挿通穴９９〜１０２と、導電性ケーブル８５、８６が挿通される挿通穴１０３、１０４とを有し、挿通穴９９〜１０２の形状と挿通穴１０３、１０４の形状とが異なる形状に形成される。雄コネクタ９４が、光ファイバケーブル８７〜９０が挿通される挿通穴と、導電性ケーブル９１、９２が挿通される挿通穴とを有し、光ファイバケーブル８７〜９０が挿通される挿通穴の形状と導電性ケーブル９１、９２が挿通される挿通穴の形状とが異なる形状に形成されている。【選択図】図１７
2017012525.tif 000002
【特許請求の範囲】
【請求項１】
遊技に関する制御を実行する制御部と、
画像の表示を行う表示部と、
一端部が前記制御部に接続され、他端部が第１の接続部に接続される複数の第１の配線と、
一端部が前記表示部に接続され、他端部が第２の接続部に接続される複数の第２の配線とを備えた遊技機であって、
前記第１の配線及び前記第２の配線は、前記第１の接続部及び前記第２の接続部にそれぞれ一体で接続される導電性ケーブル及び光ファイバケーブルを含んで構成され、
前記第１の接続部及び前記第２の接続部を接続することにより、前記導電性ケーブルによって前記制御部と前記表示部とを電気的に接続し、前記光ファイバケーブルによって前記制御部と前記表示部とを光学的に接続するように構成され、
前記第１の接続部及び前記第２の接続部に前記導電性ケーブル及び前記光ファイバケーブルが挿通される複数の挿通穴が形成され、
前記第１の接続部及び前記第２の接続部に形成される前記挿通穴は、前記導電性ケーブルが挿通される前記挿通穴の形状と前記光ファイバケーブルが挿通される前記挿通穴の形状とが異なることを特徴とする遊技機。
【請求項２】
前記遊技機は、少なくとも前面側に開口部を有する本体を備え、前記表示部が、前記開口部を通して前記本体に着脱可能に設けられ、
前記本体に前記第１の接続部が設けられ、
前記表示部に前記第２の接続部が設けられることを特徴とする請求項１に記載の遊技機。
【請求項３】
前記第１の接続部及び前記第２の接続部の少なくとも一方は、前記本体又は前記表示部に対して一定の可動領域内において可動可能に取付けられることを特徴とする請求項２に記載の遊技機。
【請求項４】
前記第１の接続部及び前記第２の接続部の一方に位置決め部材が設けられ、
前記第１の接続部及び前記第２の接続部の接続時に、前記位置決め部材によって前記第１の接続部及び前記第２の接続部の一方が前記第１の接続部及び前記第２の接続部の他方に位置決めされることを特徴とする請求項１ないし請求項３のいずれか１項に記載の遊技機。
【発明の詳細な説明】
【技術分野】
【０００１】
本発明は、パチスロ機等の遊技機に関する。
【背景技術】
【０００２】
従来、パチスロ機等の遊技機においては、各種遊技状態の決定や、演出の実行を実現するために、遊技機の内部には、複数の制御デバイスが設けられており、これら制御デバイスは、導電性ケーブルによって接続されている。
【０００３】
ところで、制御デバイスを導電性ケーブルによって接続した場合には、外部から導電性ケーブルに不正な信号を加えることで不正行為が行われたり、導電性ケーブルが電磁ノイズにより悪影響を受けたり、導電性ケーブル自体が電磁ノイズの発生源になり他の導電性ケーブルに悪影響を与えることがある。
【０００４】
このような不具合を解消する遊技機としては、複数の制御デバイスのうちの一部を、独立した導電性ケーブルで接続し、他の制御デバイスを、電磁ノイズの影響を受けない独立した光ファイバケーブルで接続したものが知られている（例えば、特許文献１参照）。
【０００５】
また、主制御基板と副制御基板とを独立した光ファイバケーブルで接続したものが知られている（例えば、特許文献２参照）。
【先行技術文献】
【特許文献】
【０００６】
【特許文献１】特開２０１３−３４６４２号公報
【特許文献２】特開２００５−８０８８６号公報
【発明の概要】
【発明が解決しようとする課題】
【０００７】
上述の特許文献１に記載の遊技機にあっては、複数の制御デバイスをそれぞれ独立した導電性ケーブルと光ファイバケーブルとによって接続しているので、遊技機の内部で配線の引き回しが煩雑化してしまい、配線の配線作業の作業性が悪化してしまう。
【０００８】
これに対して、特許文献２に記載されたものは、主制御基板と副制御基板とを独立した光ファイバケーブルで接続しているので、導電性ケーブルに比べて情報の伝達量や伝達速度を大幅に向上できる。
【０００９】
しかしながら、特許文献２に記載される遊技機は、主制御基板と副制御基板とが光ファイバケーブルのみで接続されているので、光ファイバケーブルのそのものの剛性が弱いことから、何らかの原因で光ファイバケーブルに外力が加わった場合に、光ファイバケーブルによって主制御基板と副制御基板とを光学的に接続することが困難となるおそれがある。
【００１０】
本発明は、上述のような事情に鑑みてなされたもので、配線の引き回しを簡素化してケーブルの配線作業の作業性を向上できるとともに、光ファイバケーブル、第１の接続部及び第２の接続部に外力が加わった場合であっても光ファイバケーブル及び導電性ケーブルによって制御部と表示部との間の接続を維持でき、かつノイズの影響を受け難い遊技機を提供することを目的とする。
【課題を解決するための手段】
【００１１】
上記目的を達成するために、本発明に係る遊技機は、遊技に関する制御を実行する制御部（スケーラ基板ＳＫ、副制御基板ＳＳ）と、画像の表示を行う表示部（表示ユニットＡ）と、一端部が前記制御部に接続され、他端部が第１の接続部（雌コネクタ９３）に接続される複数の第１の配線（光ファイバケーブル８１〜８４、導電性ケーブル８５、８６）と、一端部が前記表示部に接続され、他端部が第２の接続部（雄コネクタ９４）に接続される複数の第２の配線（光ファイバケーブル８７〜９０、導電性ケーブル９１、９２）とを備えた遊技機（１）であって、前記第１の配線及び前記第２の配線は、前記第１の接続部及び前記第２の接続部にそれぞれ一体で接続される導電性ケーブル（８５、８６、９１、９２）及び光ファイバケーブル（８１〜８４、８７〜９０）を含んで構成され、前記第１の接続部及び前記第２の接続部を接続することにより、前記導電性ケーブルによって前記制御部と前記表示部とを電気的に接続し、前記光ファイバケーブルによって前記制御部と前記表示部とを光学的に接続するように構成され、前記第１の接続部及び前記第２の接続部に前記導電性ケーブル及び前記光ファイバケーブルが挿通される複数の挿通穴（９９〜１０４、１１４〜１１９）が形成され、前記第１の接続部及び前記第２の接続部に形成される前記挿通穴は、前記導電性ケーブルが挿通される前記挿通穴（１０３、１０４、１１８、１１９）の形状と前記光ファイバケーブルが挿通される前記挿通穴（９９〜１０２、１１４〜１１７）の形状とが異なるものから構成されている。
【００１２】
この構成により、本発明に係る遊技機によれば、配線を、導電性ケーブルと電磁波の影響を受けない独立した光ファイバケーブルとで纏めることができ、配線の引き回しを簡素化して、配線の配線作業の作業性を向上できる。
【００１３】
また、何らかの原因で光ファイバケーブル、第１の接続部及び第２の接続部に外力が加わっても制御部と表示部との接続を維持することができる。さらに、配線に電磁波（外来ノイズ）が照射されても、制御部と表示部とが光ファイバケーブルによって接続されていることで、画像信号及び制御信号が電磁波の影響を受けることがなく、鮮明な画像を維持できる。これにより、遊技機の信頼性が低下することを防止できる。
【００１４】
さらに、第１の接続部及び第２の接続部に形成される挿通穴において、導電性ケーブルが挿通される挿通穴の形状と光ファイバケーブルが挿通される挿通穴の形状とが異なる。これにより、第１の接続部及び第２の接続部に対して導電性ケーブルと光ファイバケーブルとを正規の位置に取付けることができ、導電性ケーブルと光ファイバケーブルとの差し間違いが発生することを防止できる。
【００１５】
このため、遊技機の組み立て工程において、予め、導電性ケーブル及び光ファイバケーブルが正規の位置に取付けられていない第１の接続部及び第２の接続部が制御部と表示部とに接続されてしまうことを防止できる。
【００１６】
この結果、制御部及び表示部に対する第１の接続部及び第２の接続部の差し間違いによる検査不良及び差し間違いによる遊技機の再組み立てと再組み立て後の再検査等の工程を無くすことができる。この結果、遊技機の製造時間をより効果的に短縮でき、遊技機の無駄な製造コストの発生を抑制することができる。
【００１７】
また、本発明の遊技機において、前記遊技機は、少なくとも前面側に開口部（Ｇ５）を有する本体（キャビネットＧ）を備え、前記表示部が、前記開口部を通して前記本体に着脱可能に設けられ、前記本体に前記第１の接続部が設けられ、前記表示部に前記第２の接続部が設けられてもよい。
【００１８】
この構成により、本発明に係る遊技機は、表示部を本体に装着したときに、複数の光ファイバケーブル及び導電性ケーブルが纏められた第１の接続部に複数の光ファイバケーブル及び導電性ケーブルが纏められた第２の接続部を接続することができる。
【００１９】
これにより、第１の接続部及び第２の接続部を介して複数の光ファイバケーブルと導電性ケーブルとを容易に接続することができ、配線の引き回しをより効果的に簡素化して、配線の配線作業の作業性をより効果的に向上できる。
【００２０】
また、本発明の遊技機において、前記第１の接続部及び前記第２の接続部の少なくとも一方は、前記本体又は前記表示部に対して一定の可動領域内において可動可能に取付けられてもよい。
【００２１】
この構成により、本発明に係る遊技機は、表示部を本体に装着して第１の接続部と第２の接続部とを接続する際に、例えば、第２の接続部に対して第１の接続部を一定の可動領域内で可動させることで、第１の接続部と第２の接続部とを円滑に接続できる。
【００２２】
これにより、表示部と本体との組み付け誤差等を吸収することができ、本体に対する表示部の組み付け作業の作業性を向上できる。
【００２３】
また、本発明の遊技機において、前記第１の接続部及び前記第２の接続部の一方に位置決め部材（ピン部材１１１Ｄ）が設けられ、前記第１の接続部及び前記第２の接続部の接続時に、前記位置決め部材によって前記第１の接続部及び前記第２の接続部の一方が前記第１の接続部及び前記第２の接続部の他方に位置決めされてもよい。
【００２４】
この構成により、本発明に係る遊技機は、位置決め部材によって第１の接続部及び第２の接続部の一方を第１の接続部及び第２の接続部の他方に位置決めすることで、第１の接続部と第２の接続部とを円滑に接続することができる。
【発明の効果】
【００２５】
本発明によれば、配線の引き回しを簡素化してケーブルの配線作業の作業性を向上できるとともに、光ファイバケーブル、第１の接続部及び第２の接続部に外力が加わった場合であっても光ファイバケーブル及び導電性ケーブルによって制御部と表示部との間の接続を維持でき、かつノイズの影響を受け難い遊技機を提供することができる。
【図面の簡単な説明】
【００２６】
【図１】遊技機の正面斜視図である。
【図２】上ドア機構及び下ドア機構を開いた状態のときの、遊技機の正面図である。
【図３】遊技機の分解斜視図である。
【図４】表示ユニットの縦断面図である。
【図５】表示ユニットの後方斜視図である。
【図６】プロジェクタ装置の回路構成を示すブロック図である。
【図７】遊技機のシステム構成を示すブロック図である。
【図８】主制御基板の回路構成を示すブロック図である。
【図９】副制御基板の回路構成を示すブロック図である。
【図１０】リールドライブ基板の回路構成を示すブロック図である。
【図１１】ドア中継基板の回路構成を示すブロック図である。
【図１２】副中継基板の回路構成を示すブロック図である。
【図１３】スケーラ基板の回路構成を示すブロック図である。
【図１４】多出力スケーラＬＳＩの回路構成を示すブロック図である。
【図１５】サブ液晶Ｉ／Ｆ基板の回路構成を示すブロック図である。
【図１６】スケーラ基板、プロジェクタ制御基板及び配線を示すブロック図である。
【図１７】雌コネクタ、雄コネクタ、光ファイバケーブル及び導電性ケーブルの斜視図である。
【図１８】雌コネクタ、雄コネクタのそれぞれに光ファイバケーブル及び導電性ケーブルを接続した状態の斜視図である。
【図１９】雌コネクタ及び雄コネクタを接続した状態の斜視図である。
【図２０】キャビネットに取付けられる雌コネクタを挿通穴側から見た図である。
【図２１】表示ユニットに取付けられる雄コネクタを挿通穴側から見た図である。
【図２２】光ファイバケーブルが挿通される挿通穴を縦方向に切った雌コネクタ及び雄コネクタと光ファイバケーブルとの分解図である。
【図２３】光ファイバケーブルが挿通される挿通穴を縦方向に切った雌コネクタ及び雄コネクタに、光ファイバケーブルを接続した状態を示す図である。
【図２４】光ファイバケーブルが挿通される挿通穴を縦方向に切った雌コネクタ及び雄コネクタを接続した状態を示す図である。
【図２５】導電性ケーブルが挿通される挿通穴を縦方向に切った雌コネクタ及び雄コネクタと導電性ケーブルとの分解図である。
【図２６】導電性ケーブルが挿通される挿通穴を縦方向に切った雌コネクタ及び雄コネクタに導電性ケーブルを接続した状態を示す図である。
【図２７】導電性ケーブルが挿通される挿通穴を縦方向に切った雌コネクタ及び雄コネクタ同士を接続した状態を示す図である。
【図２８】雌コネクタに接続される光ファイバケーブルを端子部側から見た図である。
【図２９】雄コネクタに接続される光ファイバケーブルを端子部側から見た図である。
【図３０】キャビネットに取付けられた雌コネクタの斜視図である。
【図３１】キャビネットに取付けられた雌コネクタを挿通穴側から見た図である。
【図３２】図３１のＸＸＸII−ＸＸＸII方向矢視断面図である。
【図３３】表示ユニットに取付けられた雄コネクタの斜視図である。
【図３４】貫通孔の形状が異なる雌コネクタを挿通穴側から見た図である。
【図３５】図３４に示す雌コネクタに取付けられた光ファイバケーブルを端子部側から見た図である。
【図３６】貫通孔の形状が異なる雄コネクタを挿通穴側から見た図である。
【図３７】図３６に示す雄コネクタに取付けられた光ファイバケーブルを端子部側から見た図である。
【発明を実施するための形態】
【００２７】
以下、図面を参照して、本発明の一実施形態について説明する。
図１〜図３に示すように、遊技機１は、いわゆるパチスロ機である。遊技機１は、コイン、メダル、遊技球又はトークン等の他、遊技者に付与された又は付与される、遊技価値の情報を記憶したカード等の遊技媒体を用いて遊技可能なものであるが、以下ではメダルを用いるものとして説明する。
【００２８】
なお、以後の説明において、遊技機１から遊技者に向かう側（方向）を遊技機１の前側（前方向）と称し、前側とは逆側を後側（後方向、奥行方向）と称し、遊技者から見て右側及び左側を遊技機１の右側（右方向）及び左側（左方向）とそれぞれ称する。また、前側及び後側を含む方向は、前後方向又は厚み方向と称し、右側及び左側を含む方向は、左右方向又は幅方向と称する。前後方向（厚み方向）及び左右方向（幅方向）に直交する方向を上下方向又は高さ方向と称する。
【００２９】
（遊技機の構成）
図１に示すように、遊技機１の外観は、矩形箱状の筐体２により構成されている。図２において、筐体２は、遊技機本体として前面側に矩形状の開口部Ｇ５を有する金属製のキャビネットＧと、キャビネットＧの前面上部に配置された上ドア機構ＵＤと、キャビネットＧの前面下部に配置された下ドア機構ＤＤとを有している。ここで、開口部Ｇ５は、本発明の本体を構成する。また、開口部Ｇ５は、キャビネットＧの前面側ではなく、後面側に設けられてもよく、前面及び後面の両方に設けられてもよい。
【００３０】
図１において、キャビネットＧの上面壁Ｇ４には、左右方向に関して所定間隔隔てて、上下方向に貫通する２つの開口Ｇ４１が形成されている。そして、この２つの開口Ｇ４１それぞれを塞ぐように木製の板部材Ｇ４２が上面壁Ｇ４に取付けられている。
【００３１】
図２に示すように、上ドア機構ＵＤ及び下ドア機構ＤＤは、キャビネットＧの開口部Ｇ５の形状及び大きさに対応するように形成されている。上ドア機構ＵＤ及び下ドア機構ＤＤは、キャビネットＧにおける開口部Ｇ５の上部及び下部を閉塞可能に設けられている。上ドア機構ＵＤは、図１において、上側表示窓ＵＤ１を中央部に有している。上側表示窓ＵＤ１には、光を透過する透明パネルＵＤ１１が設けられている。
【００３２】
下ドア機構ＤＤには、上部の略中央部に、矩形状の開口部として形成されたメイン表示窓ＤＤ４が設けられている。メイン表示窓ＤＤ４の裏面側には、図２に示すように、キャビネットＧの内部側から取付けられたリールユニットＲＵが装着されている。さらに、リールユニットＲＵの背面には、主制御基板ＭＳが取付けられている。
【００３３】
リールユニットＲＵは、複数種類の図柄が各々の外周面に描かれた３個のリールＲＬ（左リール）、ＲＣ（中リール）、ＲＲ（右リール）を主体に構成されている。これらのリールＲＬ、ＲＣ、ＲＲは、それぞれが縦方向に一定の速度で回転できるように並列状態（横一列）に配設される。リールＲＬ、ＲＣ、ＲＲは、メイン表示窓ＤＤ４を通じて、各リールＲＬ、ＲＣ、ＲＲの動作や各リールＲＬ、ＲＣ、ＲＲ上に描かれている図柄が視認可能となる。
【００３４】
図１において、メイン表示窓ＤＤ４には、その表面部に、矩形状のアクリル板等からなる透明パネルが取付け固定されており、遊技者等がリールユニットＲＵに触れることができないようになっている。メイン表示窓ＤＤ４の下方には、略水平面の第１、第２、第３台座部ＤＤ２ａ、ＤＤ２ｂ、ＤＤ２ｃが形成されている。メイン表示窓ＤＤ４の右側に位置する第１台座部ＤＤ２ａには、メダルを投入するためのメダル投入口ＤＤ５が設けられている。メダル投入口ＤＤ５は、遊技者によりメダルが投入される開口である。メダル投入口ＤＤ５から投入されたメダルは、クレジットされるか又はゲームに賭けられる。
【００３５】
メイン表示窓ＤＤ４の左側に位置する第２台座部ＤＤ２ｂには、クレジットされているメダルを賭けるための、有効ライン設定手段としての最大ＢＥＴボタンＤＤ８（ＭＡＸＢＥＴボタンともいう）が設けられている。最大ＢＥＴボタンＤＤ８が押されると、メダルの投入枚数として「３」が選択される。
【００３６】
メイン表示窓ＤＤ４の前面側に位置する第３台座部ＤＤ２ｃには、サブ表示装置ＤＤ２０が設けられている。サブ表示装置ＤＤ２０は、例えば入賞成立時のメダルの払出枚数やクレジットされている残メダル枚数を表示する。遊技機１にクレジットされるメダルの最大枚数は、通常５０枚であるため、サブ表示装置ＤＤ２０には、５０以下のクレジット枚数が表示される。なお、最大枚数となる５０枚のメダルがクレジシットされている状態では、投入されたメダルがそのままメダル払出口ＤＤ１４より払出される。
【００３７】
最大ＢＥＴボタンＤＤ８の前面側には、遊技者の操作によりリールＲＬ、ＲＣ、ＲＲを回転駆動させるとともに、メイン表示窓ＤＤ４内で図柄の変動表示を開始させるスタートレバーＤＤ６が設けられている。スタートレバーＤＤ６は、所定の角度範囲で傾動自在に取付けられる。
【００３８】
スタートレバーＤＤ６の右側で、サブ表示装置ＤＤ２０の前面側には、遊技者の押下操作（停止操作）により３個のリールＲＬ、ＲＣ、ＲＲの回転をそれぞれ停止させるための３個のストップボタンＤＤ７Ｌ、ＤＤ７Ｃ、ＤＤ７Ｒが設けられている。
【００３９】
最大ＢＥＴボタンＤＤ８の左側には、Ｃ／ＰボタンＤＤ１３が設けられている。Ｃ／ＰボタンＤＤ１３は、遊技者がゲームで獲得したメダルのクレジット／払出しを押しボタン操作で切り換えるものである。このＣ／ＰボタンＤＤ１３の切り換えにより払出しが選択されている状態（非クレジット状態）においては、下ドア機構ＤＤの下部側のコインガードプレート部に設けたメダル払出口ＤＤ１４（キャンセルシュート）からメダルが払出され、払出されたメダルは、メダル受け部ＤＤ１５に溜められる。
【００４０】
スタートレバーＤＤ６、及び、ストップボタンＤＤ７Ｌ、ＤＤ７Ｃ、ＤＤ７Ｒの下部側には、腰部パネルＤＤ１８（腰部導光板）が配置されている。腰部パネルＤＤ１８は、アクリル板等を使用した化粧用パネルとして構成される。腰部パネルＤＤ１８には、遊技機１の機種を表す名称や種々の模様等が印刷により描かれている。
【００４１】
また、メダル払出口ＤＤ１４の左側にはスピーカＤＤ２５Ｌが、右側にはスピーカＤＤ２５Ｒが、それぞれ設けられている。スピーカＤＤ２５Ｌ、ＤＤ２５Ｒは、遊技者に遊技に関する種々の情報を声や音楽等の音により報知する。また、メイン表示窓ＤＤ４の右側には、サブ液晶表示装置ＤＤ１９が配置されている。サブ液晶表示装置ＤＤ１９は、液晶表示パネル（液晶パネル）のパネル面にタッチ式の位置入力装置としてのタッチセンサパネルが配されてなる、いわゆるタッチパネルＤＤ１９Ｔとなっている。
【００４２】
なお、タッチセンサパネルとしては、例えば、人体の一部（指先等）や静電ペン等の接触を検知して、その検知信号を出力する静電容量方式のものであってもよく、又は、ペン先等の堅い物質の接触を検知して、その検知信号を出力する方式のもの、あるいは、その他の方式のものや構造のもの（インセル構造等）であってもよい。本実施形態においては、サブ液晶表示装置ＤＤ１９及びタッチパネルＤＤ１９Ｔを用いて後述するプロジェクタ装置Ｂ２の光学調整を行うことができるようになっている。
【００４３】
サブ液晶表示装置ＤＤ１９は、ＳＵＩ（スマート・ユーザ・インターフェース）として機能するもので、その表示画面上に、例えば、遊技の進行に伴って遊技回数等の遊技情報が表示されるとともに、遊技者による選択又は入力を求めるためのメッセージや入力キー等が表示される。
【００４４】
なお、サブ液晶表示装置ＤＤ１９においては、その表示画面上に、例えば、遊技の進行に伴って、遊技に関する演出に応じた内容（演出情報）を表示することも可能である。また、サブ液晶表示装置ＤＤ１９としては、例えば、演出役物としての機能を有するアタッチメントや、専用のアタッチメントとして、ジョグダイヤル又はプッシュボタン等を装着できるようにしてもよい。
【００４５】
また、サブ液晶表示装置ＤＤ１９は、その機能を、後述する表示ユニットＡ等に振り分けることにより、省略することもできる。また、メイン表示窓ＤＤ４の左側には、サブ液晶表示装置ＤＤ１９とは別のサブ液晶表示装置を配置するようにしてもよい。このような別のサブ液晶表示装置としては、その裏側にフルカラーＬＥＤが複数個実装されたＬＥＤ基板を設け、演出を行うことが可能に透過性を有して装飾が施されたパネルにより表示面を形成するようにしてもよい。
【００４６】
図２、図３に示すように、キャビネットＧ内は、中間支持板Ｇ１により上部空間と下部空間とに仕切られている。すなわち、中間支持板Ｇ１は、キャビネットＧ内を上部空間と下部空間とに仕切る仕切板として機能している。上部空間は、キャビネットＧ内の上ドア機構ＵＤの後側となる空間であり、表示ユニットＡ等が収容される。また、下部空間は、キャビネットＧ内の下ドア機構ＤＤの後側となる空間であり、リールユニットＲＵや、遊技機１全体の動作を司る主制御基板ＭＳ等が収容される。
【００４７】
（表示ユニットＡ）
図３に示すように、表示ユニットＡは、キャビネットＧの開口部Ｇ５を通してキャビネットＧ内の中間支持板Ｇ１上に着脱可能（交換可能）に載置される。表示ユニットＡは、映像表示用の照射光を出射する照射ユニットＢと、照射ユニットＢからの照射光が照射されることにより映像を出現させるスクリーン装置Ｃとを有したいわゆるプロジェクションマッピング装置である。ここで、本実施形態の表示ユニットＡは、本発明の表示部を構成する。
【００４８】
ここで、プロジェクションマッピング装置は、構造物や自然物等の立体物の表面に映像を投影するためのものであって、例えば、後述のスクリーンである役物に対して、その位置（投影距離や角度等）や形状に基づいて生成される、演出情報に応じた映像を投影することにより、高度で、かつ迫力のある演出を可能とする。
【００４９】
表示ユニットＡは、前方に開口が形成された筐体Ａ１を有する。この筐体Ａ１は、照射ユニットＢの上部を形成するプロジェクタカバーＢ１、及び、スクリーン装置Ｃのスクリーン筐体Ｃ１０とで構成されている。スクリーン筐体Ｃ１０は、底板Ｃ１、右側板Ｃ２、左側板Ｃ３、及び背板Ｃ４を有した箱方形状をなしている。プロジェクタカバーＢ１は、スクリーン筐体Ｃ１０の上面に交換可能に取付けられる。
【００５０】
図４に示すように、照射ユニットＢは、照射光を前方に出射するプロジェクタ装置Ｂ２と、プロジェクタ装置Ｂ２の前方に配置され、プロジェクタ装置Ｂ２からの照射光を斜め下後方に配置されたスクリーン装置Ｃの方向に反射するミラー機構Ｂ３と、プロジェクタ装置Ｂ２及びミラー機構Ｂ３を収容したプロジェクタカバーＢ１とを有している。
【００５１】
プロジェクタ装置Ｂ２は、ケースＢ２２によって外装されつつプロジェクタカバーＢ１に取付けられ、キャビネットＧ内の後部に配置されている。ケースＢ２２には図示しない投射レンズや複数のＬＥＤ光源が位置する。投射レンズは、複数のＬＥＤ光源から出射してＤＭＤ（Ｄｉｇｉｔａｌ Ｍｉｃｒｏｍｉｒｒｏｒ Ｄｅｖｉｃｅ）で反射した照射光を、レンズ等を介して前方のミラー機構Ｂ３に向けて出射するように配置されている。
【００５２】
プロジェクタ装置Ｂ２の前方（照射光の出射方向）には、ミラー機構Ｂ３が配置されている。ミラー機構Ｂ３は、ミラーホルダＢ３１により光学ミラーＢ３２を保持している。このミラー機構Ｂ３は、プロジェクタカバーＢ１におけるリフレクタ保持部Ｂ１１の内側面に設けられている。リフレクタ保持部Ｂ１１は、プロジェクタカバーＢ１の前面中央部に形成されており、上ドア機構ＵＤを開いたときに前側に露出するように配置されている。なお、ミラー機構Ｂ３は、リフレクタ保持部Ｂ１１に対してその間隔が調整可能に取付けられている。これにより、プロジェクタ装置Ｂ２から出射した照射光の進行方向に対する光学ミラーＢ３２の反射角度を微調整することができる。
【００５３】
プロジェクタ装置Ｂ２及びミラー機構Ｂ３は、プロジェクタカバーＢ１に収容されている。なお、プロジェクタ装置Ｂ２の下面Ｂ２ａは、その前部に、後方から前方に向けて上方に傾斜する傾斜面Ｂ２ａ１を有している。プロジェクタカバーＢ１は、水平配置された上壁部Ｂ１２と、上壁部Ｂ１２の前側に配置されたリフレクタ保持部Ｂ１１と、上壁部Ｂ１２の左右方向において左右対称に配置された側壁部Ｂ１３、Ｂ１３（図３、図５参照）とを有している。上壁部Ｂ１２は、前部がキャビネットＧよりも前方に突出するように構成されている。上壁部Ｂ１２の前部の中央部には、リフレクタ保持部Ｂ１１が前方に突出した形態に形成されており、突出により形成された空間部に上述のミラー機構Ｂ３が角度調整可能に保持されている。
【００５４】
図５において、側壁部Ｂ１３、Ｂ１３は、下端部から左右水平方向に突出した突出部Ｂ１３１を有している。突出部Ｂ１３１は、前部側の第１突出部Ｂ１３１ａと、後部側の第２突出部Ｂ１３１ｂとを有している。第１突出部Ｂ１３１ａは、プロジェクタカバーＢ１がキャビネットＧに装着されたときに、キャビネットＧの開口部Ｇ５に対応するように位置する。
【００５５】
スクリーン筐体Ｃ１０の内部には、照射ユニットＢからの照射光の照射により映像を出現させる複数のスクリーン機構が照射対象を切り替え可能に設けられている。具体的には、図４に示すように、複数のスクリーン機構としては、固定スクリーン機構Ｄ、フロントスクリーン機構Ｅ１、及びリールスクリーン機構Ｆ１が設けられている。固定スクリーン機構Ｄの投影面、フロントスクリーン機構Ｅ１の投影面Ｅ１１ａ及びリールスクリーン機構Ｆ１の投影面Ｆ１ａは、映像表現を多様化するために、互いに異なる形状をなしている。また、フロントスクリーン機構Ｅ１及びリールスクリーン機構Ｆ１は、プロジェクタ装置Ｂ２やミラー機構Ｂ３に対して相対的に位置が変位する可動式のスクリーンであり、それぞれ、フロントスクリーン駆動機構Ｅ２及びリールスクリーン駆動機構Ｆ２（図７参照）により駆動される。
【００５６】
図３において、底板Ｃ１の前部Ｃ１４は、下方に曲折することによって、先端部が底板Ｃ１の下面よりも下方に位置されている。前部Ｃ１４は、表示ユニットＡがキャビネットＧの中間支持板Ｇ１に載置されながら組み込まれる際に、中間支持板Ｇ１の前面に当接することによって、キャビネットＧ内の後方への位置決めを行うことを可能にしている。そして、表示ユニットＡは、前部Ｃ１４に形成された貫通穴を介してキャビネットＧの前面にネジ締結されることによって、キャビネットＧの前面側からの表示ユニットＡの組み込み作業及び据え付け作業を行うことが可能になっている。
【００５７】
図５に示すように、スクリーン筐体Ｃ１０の背板Ｃ４は、平板状に形成されており、その背面の下部には、スクリーン駆動制御基板ＣＳを位置決め配置するための凹部ＣＯが形成されている。スクリーン駆動制御基板ＣＳは、フロントスクリーン駆動機構Ｅ２及びリールスクリーン駆動機構Ｆ２との間で信号等をやり取りする。
【００５８】
図４において、固定スクリーン機構Ｄは、照射光の照射方向に存在する固定露出位置に固定状態で設けられている。フロントスクリーン機構Ｅ１は、フロント露出位置とフロント待機位置との間を回動可能に設けられている。固定露出位置とフロント露出位置との位置関係は、フロント露出位置が照射光の照射方向であって且つ固定露出位置よりも前方に存在するように設定されている。
【００５９】
これにより、フロントスクリーン機構Ｅ１がフロント露出位置に移動した場合は、フロントスクリーン機構Ｅ１が固定スクリーン機構Ｄを前方から覆い隠した状態にすることによって、照射光による映像をフロントスクリーン機構Ｅ１だけに出現可能にしている。フロントスクリーン機構Ｅ１がフロント待機位置に移動した場合は、固定スクリーン機構Ｄを露出させることによって、照射光による映像を固定スクリーン機構Ｄに出現可能にしている。つまり、フロントスクリーン機構Ｅ１がフロント露出位置に配置されると、フロントスクリーン機構Ｅ１がプロジェクタ装置Ｂ２の投影対象となる。これに対して、フロントスクリーン機構Ｅ１がフロント待機位置に配置されると、固定スクリーン機構Ｄがプロジェクタ装置Ｂ２の投影対象となる。
【００６０】
リールスクリーン機構Ｆ１は、リール露出位置とリール待機位置との間を回動可能に設けられている。リール露出位置と固定露出位置との位置関係は、リール露出位置が照射光の照射方向であって且つ固定露出位置よりも前方に存在するように設定されている。これにより、リールスクリーン機構Ｆ１がリール露出位置に移動した場合は、リールスクリーン機構Ｆ１が固定スクリーン機構Ｄを前方から覆い隠した状態にすることによって、照射光による映像をリールスクリーン機構Ｆ１だけに出現可能にしている。
【００６１】
リールスクリーン機構Ｆ１がリール待機位置に移動した場合は、固定スクリーン機構Ｄを露出させることによって、照射光による映像を固定スクリーン機構Ｄに出現可能にしている。つまり、リールスクリーン機構Ｆ１がリール露出位置に配置されると、リールスクリーン機構Ｆ１がプロジェクタ装置Ｂ２の投影対象となる。これに対して、リールスクリーン機構Ｆ１がフロント待機位置に配置されると、固定スクリーン機構Ｄがプロジェクタ装置Ｂ２の投影対象となる。
【００６２】
リールスクリーン機構Ｆ１は、湾曲形状の平板からなる。リールスクリーン機構Ｆ１は、回動方向に近似した形状に湾曲された、側面視円弧状の形状をなしている。リールスクリーン機構Ｆ１の表面は、周縁部に模様が形成されているとともに、周縁部の内周領域が投影面Ｆ１ａとされている。この投影面Ｆ１ａは、リールスクリーン機構Ｆ１がリール露出位置に配置されたときに、プロジェクタ装置Ｂ２からの光の照射方向上流側に凸となる円弧面である。また、リールスクリーン機構Ｆ１における、回動中心側である裏面には、模様が形成されている。この裏面の模様は、リールスクリーン機構Ｆ１がリール待機位置に位置されたときに、前方の遊技者から目視可能にされている。
【００６３】
リールスクリーン機構Ｆ１は、リールスクリーン駆動機構Ｆ２の駆動力により、リール待機位置とリール露出位置との間で回動可能にされている。そして、リールスクリーン機構Ｆ１がリール露出位置に位置されたときに、その投影面Ｆ１ａは、照射光の照射により映像を出現可能になっている。
【００６４】
（表示ユニットＡの電気的及び光学的構成）
【００６５】
図６に示すように、プロジェクタ装置Ｂ２は、電気的な構成要素として、プロジェクタ制御基板Ｂ２３、光学機構Ｂ２４を備えている。プロジェクタ装置Ｂ２には、キャビネットＧに設けられたスケーラ基板ＳＫを介してキャビネットＧに設けられた副制御基板ＳＳが接続される（図７及び図１３参照）。副制御基板ＳＳは、スクリーンや役物の演出動作に応じて、プロジェクタ制御基板Ｂ２３を制御し、光学機構Ｂ２４を介して、スクリーンや役物に照射光を投影することにより、視覚的な演出として映像を表示する。
【００６６】
プロジェクタ制御基板Ｂ２３は、制御ＬＳＩ２３０、ＥＥＰＲＯＭ（登録商標）２３１、ＤＬＰ（登録商標）制御回路２３２、ＬＥＤ（Ｌｉｇｈｔ Ｅｍｉｔｔｉｎｇ Ｄｉｏｄｅ）ドライバ２３３、Ｖ−ｂｙ−ｏｎｅ（登録商標）ＨＳレシーバ２３４、受光回路（図中、「ＯＰＴ１」と記す）２３５及び受発光回路（図中、「ＯＰＴ２」と記す）２３６を備える。光学機構Ｂ２４は、Ｒ（赤）、Ｇ（緑）、Ｂ（青）の各色光を発するＬＥＤ光源、ＤＭＤ（Ｄｉｇｉｔａｌ Ｍｉｃｒｏｍｉｒｒｏｒ Ｄｅｖｉｃｅ）、投射レンズについてフォーカス調整を行うためのフォーカス機構等を備える。
【００６７】
制御ＬＳＩ２３０は、スケーラ基板ＳＫを経由した副制御基板ＳＳの指令に基づいて、照射光を投影するようにＤＬＰ制御回路２３２を制御する。制御ＬＳＩ２３０は、スケーラ基板ＳＫを経由した副制御基板ＳＳの指令に基づいて、フォーカス機構を制御して投射レンズを光軸方向に移動させることにより、照射光の投影に際してフォーカス調整を行う。ＥＥＰＲＯＭ２３１には、制御ＬＳＩ２３０によるプロジェクタ装置Ｂ２の設定・調整に関わるデータが記憶されている。なお、特に図示しないが、制御ＬＳＩ２３０には、制御プログラム等が格納されたＲＯＭ、プロジェクタ装置Ｂ２の設定・調整等に関わる作業領域に使用されるＤＲＡＭが内蔵されている。
【００６８】
受光回路２３５は、フォトダイオードなどのように光信号を電気信号に変換する光電変換素子を含んで構成される。受光回路２３５は、スケーラ基板ＳＫによって一対の光ファイバケーブル７１、７２（図１６参照）を介して光信号として送信された画像信号をＶ−ｂｙ−ｏｎｅ ＨＳ方式の電気信号に変換する。Ｖ−ｂｙ−ｏｎｅ ＨＳレシーバ２３４は、受光回路２３５によってＶ−ｂｙ−ｏｎｅ ＨＳ方式で送信された画像信号を受信し、ＬＶＤＳ（Ｌｏｗ Ｖｏｌｔａｇｅ Ｄｉｆｆｅｒｅｎｔｉａｌ Ｓｉｇｎａｌｉｎｇ）信号に変換してＤＬＰ制御回路２３２に送信する。なお、本実施形態では、画像信号をＶ−ｂｙ−ｏｎｅ ＨＳ形式で光信号として送信しているが、これに限らず、差動シリアルインターフェースであれば、ＤｉｓｐｌａｙＰｏｒｔ、ｉＤＰ（Ｉｎｔｅｒｎａｌ  ＤｉｓｐｌａｙＰｏｒｔ）、ｅＤＰ（Ｅｍｂｅｄｄｅｄ  Ｄｉｓｐｌａｙ  Ｐｏｒｔ）、ＣＬＯＣＫＫＥＳＳ  ＬＩＮＫ、ＦＰＤ（Ｆｌａｔ  Ｐａｎｅｌ  Ｄｉｓｐｌａｙ）−ＬｉｎｋII、ＡｄｖａｎｃｅｄＰＰｍｌ（Ｐｏｉｎｔ  ｔｏ  Ｐｏｉｎｔ  ｍｉｎｉ−ＬＶＤＳ）等を採用してもよい。
【００６９】
受発光回路２３６は、ＬＥＤなどのように電気信号を光信号に変換する光電変換素子と、フォトダイオードなどのように光信号を電気信号に変換する光電変換素子とを含んで構成される。受発光回路２３６は、スケーラ基板ＳＫと制御ＬＳＩ２３０との間で送受信される制御信号の光電変換を行う。詳細には、受発光回路２３６は、スケーラ基板ＳＫから制御ＬＳＩ２３０に光ファイバケーブル７３（図１６参照）を介して送信された下りの制御信号を光信号から電気信号に変換する。また、受発光回路２３６は、制御ＬＳＩ２３０からスケーラ基板ＳＫに光ファイバケーブル７４（図１６参照）を介して送信する上りの制御信号を電気信号から光信号に変換する。上り及び下りの制御信号は、ＵＡＲＴによるシリアル通信で構成されている。なお、本実施形態では、発光素子にＬＥＤを使用しているが、これに限らず、半導体レーザを使用してもよい。
【００７０】
プロジェクタ装置Ｂ２のＤＬＰシステムは、主として、ＤＬＰ制御回路２３２、ＬＥＤドライバ２３３、並びに光学機構Ｂ２４のＬＥＤ光源及びＤＭＤにより構成される。光学機構Ｂ２４のＬＥＤ光源及びＤＭＤの近傍には、例えばサーミスタからなる温度センサＢ２５が設けられている。
【００７１】
ＤＭＤは、半導体チップの主面上に、表示解像度に応じたピクセル相当のミラーを集積したものである。ＤＭＤは、各ミラーの直下にあるメモリー素子の静電界作用により、主面に対して各ミラーが対角線に沿う軸周りに＋１０°又は−１０°傾くように構成されたものである。このような構成により、ＤＭＤの各ミラーは、ＯＮ状態（所定方向に光を反射する状態）とＯＦＦ状態（所定方向外に光を反射する状態）とに切り換えられる。
【００７２】
すなわち、ＤＭＤの各ミラーは、ＯＮ状態のとき、ＬＥＤ光源から図示しないダイクロイックミラー等を介して入射した光を、再びダイクロイックミラー等を介して投射レンズへと導く一方、ＯＦＦ状態のとき、ＬＥＤ光源からダイクロイックミラー等を介して入射した光を投射レンズ以外の方向に向けて反射する。
【００７３】
ＤＬＰ制御回路２３２は、ＬＥＤ光源を駆動するＬＥＤドライバ２３３を制御し、ＬＥＤ光源からのＲＧＢ各色の光を図示しないダイクロイックミラー等を介して時分割方式でＤＭＤに入射させる。このとき、ＤＬＰ制御回路２３２は、投影する映像に応じて、どのタイミングでどのピクセルに対応したミラーをＯＮ状態又はＯＦＦ状態とするか、すなわち、ＲＧＢ各色の光のうちどの色の光をどのタイミングで所定方向に反射させるかを判定し、ＤＭＤの各ミラーのＯＮ・ＯＦＦ状態を制御する。
【００７４】
このようなＤＬＰ制御回路２３２の制御により、ＤＭＤで所定方向に反射した光は、投射レンズへと進み、投射レンズを透過することでミラー機構Ｂ３に入射し、最終的にミラー機構Ｂ３で反射することによって投影対象へと導かれる。これにより、投影対象となるスクリーンや役物に対して照射光が投影され、演出に応じた映像が形成される。
【００７５】
本実施形態において、プロジェクタ装置Ｂ２は、いわゆるＤＬＰプロジェクタとして構成される。また、プロジェクタ装置Ｂ２は、ミラー機構Ｂ３によって照射光を折り返すことにより投影対象までの投影距離を稼ぐとともに、例えばコントラスト比を１０００：１とすることによって、照射光の投影距離をできるだけ短くするようにしている。これにより、プロジェクタ装置Ｂ２を備えた表示ユニットＡは、より安価かつ小型に構成されるとともに、遊技機１のキャビネットＧにおける限られたスペースに対して容易に搭載される。
【００７６】
（遊技機１のシステム構成）
図７に示すように、遊技機１は、システムに含まれる主な基板として、主制御基板ＭＳ、副制御基板ＳＳ、リールドライブ基板ＲＤ、ドア中継基板ＤＳ、副中継基板ＳＮ、スケーラ基板ＳＫ、プロジェクタ制御基板Ｂ２３、サブ液晶Ｉ／Ｆ基板ＳＬ、スクリーン駆動制御基板ＣＳを備える。
【００７７】
これら主制御基板ＭＳや副制御基板ＳＳ等の各基板には、電源装置ＤＥの電源基板ＤＥ１から電源スイッチＤＥ２がオンの場合に電力が供給される。図１６において、特に、プロジェクタ制御基板Ｂ２３には、電源基板ＤＥ１から副中継基板ＳＮ（図７参照）を経由してスケーラ基板ＳＫに供給された直流＋１２Ｖの電力が導電性ケーブル７５を介して供給される。
【００７８】
また、スケーラ基板ＳＫのグランド層（又はグランドパターン）は、副中継基板ＳＮを経由して電源基板ＤＥ１の直流＋１２Ｖのグランド層（又はグランドパターン）に接続されており、プロジェクタ制御基板Ｂ２３のグランド層（又はグランドパターン）は、導電性ケーブル７６を介してスケーラ基板ＳＫのグランド層（又はグランドパターン）に接続されることにより、電源基板ＤＥ１の直流＋１２Ｖのグランド層（又はグランドパターン）に導通される。
【００７９】
遊技機１は、システムに含まれる先述したもののほか既知の構成要素として、デジタル表示用の７セグ表示器３０、外部表示器等を接続するための外部集中端子板３１、グラフィック基板４０、サブＲＡＭ基板４１、サブＲＯＭ基板４２、メダル識別用のセレクタ５０、ドア開閉監視スイッチ５１、ＢＥＴスイッチ５２、精算スイッチ５３、スタートスイッチ５４、ストップスイッチ基板５５、設定用鍵型スイッチ５６、ＬＥＤ基板６０、演出や装飾用のＬＥＤ群６１、演出用のスピーカ群６２、２４ｈドア監視ユニット６３、ドア監視スイッチ６４を備える。これら既知の構成要素については、説明を省略する。
【００８０】
各基板等の接続には、一般的なハーネスと光ファイバケーブルとが用いられる。例えば、主制御基板ＭＳは、リールドライブ基板ＲＤ及び７セグ表示器３０の夫々へと一方向に制御信号を出力するように、これらの基板等とハーネスＨを介して接続される。リールドライブ基板ＲＤは、ドア中継基板ＤＳへと光学的に一方向に各種の信号を伝えるように、このドア中継基板ＤＳと第１光ファイバケーブルＦＣ１を介して接続される。ドア中継基板ＤＳは、主制御基板ＭＳへと光学的に一方向に各種の信号を伝えるように、この主制御基板ＭＳと第２光ファイバケーブルＦＣ２を介して接続される。
【００８１】
これにより、主制御基板ＭＳ、リールドライブ基板ＲＤ、及びドア中継基板ＤＳは、単に一方向にコマンド等を伝送するように、ハーネスＨ及び光ファイバケーブルＦＣ１、ＦＣ２を通じてループ接続されている。副中継基板ＳＮは、主制御基板ＭＳの後述するセキュリティＩＣ３０６に光ファイバケーブル（不図示）を介して接続され、外部集中端子板３１は、主制御基板ＭＳの後述するセキュリティＩＣ３０７に光ファイバケーブル（不図示）を介して接続されている。主制御基板ＭＳのセキュリティＩＣ３０６及び３０７は、例えば平文の送信コマンドをＡＥＳ方式で暗号化することにより通信データを秘匿化する。
【００８２】
主制御基板ＭＳは、遊技機１の主たる遊技動作を制御するための基板である。図８に示すように、主制御基板ＭＳは、メインＣＰＵ３００、メインＲＡＭ３０１、メインＲＯＭ３０２、クロックパルス発生回路３０３、分周器３０４、マスタとなるＩ／Ｏ通信ＬＳＩ３０５、セキュリティＩＣ３０６、３０７を有する。例えば、メインＣＰＵ３００は、リールの回転動作やメダル払出動作を制御するためのコマンドを、Ｉ／Ｏ通信ＬＳＩ３０５を通じてリールドライブ基板ＲＤへと送信する。また、メインＣＰＵ３００は、ドア中継基板ＤＳに接続された各種スイッチ等（５０〜５６）からの信号を、Ｉ／Ｏ通信ＬＳＩ３０５を通じて光学的に受信し、これらの信号に基づいて所定の処理を行う。
【００８３】
副制御基板ＳＳは、主として遊技機１の遊技に伴う演出を制御するための基板である。副制御基板ＳＳは、副中継基板ＳＮとコネクタ（ＢｔｏＢ：基板対基板用）を介して接続され、副中継基板ＳＮとスケーラ基板ＳＫとは、ハーネスＨを介して接続されており、基本的にこれらと双方向に各種の信号をやり取りする。
【００８４】
図９に示すように、副制御基板ＳＳは、サブＣＰＵ４００、バックアップ機能を有するＳＲＡＭ（Ｓｔａｔｉｃ Ｒａｎｄｏｍ Ａｃｃｅｓｓ Ｍｅｍｏｒｙ）４０１、日時の計時回路であるリアルタイムクロック（ＲＴＣ：Ｒｅａｌ Ｔｉｍｅ Ｃｌｏｃｋ）４０２を有し、交換可能な拡張カードとして、グラフィック基板４０、サブＲＡＭ基板４１、サブＲＯＭ基板４２をバス接続により実装している。グラフィック基板４０は、ＧＰＵ（Ｇｒａｐｈｉｃｓ Ｐｒｏｃｅｓｓｉｎｇ Ｕｎｉｔ）４４０及びＶＲＡＭ（ビデオメモリ）４４１を有する。
【００８５】
例えば、サブＣＰＵ４００は、投影面Ｅ１１ａ、Ｆ１ａを変位させるための信号を、副中継基板ＳＮ及びスクリーン駆動制御基板ＣＳを通じてフロントスクリーン駆動機構Ｅ２やリールスクリーン駆動機構Ｆ２へと送信する（図１２参照）。また、サブＣＰＵ４００は、プロジェクタ装置Ｂ２やサブ液晶表示装置ＤＤ１９等に映像を表示させるための画像信号を、スケーラ基板ＳＫを通じてプロジェクタ制御基板Ｂ２３やサブ液晶Ｉ／Ｆ基板ＳＬへと送信する（図１３参照）。
【００８６】
リールドライブ基板ＲＤは、リールユニットＲＵにおけるリールＲＬ、ＲＣ、ＲＲの回転動作を制御するとともに、ホッパ機構ＨＰによるメダル払出動作を制御するための基板である。図１０に示すように、リールドライブ基板ＲＤは、主制御基板ＭＳのマスタとなるＩ／Ｏ通信ＬＳＩ３０５に対してスレーブとなるＩ／Ｏ通信ＬＳＩ３１０、リールモータドライバ３１１、ホッパモータドライバ３１２を有する。
【００８７】
例えば、Ｉ／Ｏ通信ＬＳＩ３０５は、ホッパ機構ＨＰからの払出信号、ホッパ機構ＨＰへのメダル投下を検出するメダル補給機構スイッチＭＨＳからの検出信号、リールの回転状態を示すリールユニットＲＵからの信号等を、所定の光通信方式に応じた光信号に変換し、これらの光信号を第１光ファイバケーブルＦＣ１及びドア中継基板ＤＳを介して主制御基板ＭＳへと送信する。また、Ｉ／Ｏ通信ＬＳＩ３０５は、主制御基板ＭＳからのリール回転開始や回転停止、メダルの払い出し等を指示する制御信号をハーネスＨを介して入力し、これらの制御信号に応じた制御信号を、リールモータドライバ３１１やホッパモータドライバ３１２を通じてリールユニットＲＵやホッパ機構ＨＰへと出力する。
【００８８】
このように、主制御基板ＭＳからは、電気信号による制御信号が出力され、主制御基板ＭＳへの入力は、光ファイバケーブルＦＣ１、ＦＣ２を介して通信により行われるが、これは、リールユニットＲＵ及びホッパ機構ＨＰとの即応性の問題（コマンド送信による伝送時間の問題）があるためである。要するに、例えばストップボタン押下からリール停止する場合の遅延で図柄の停止位置に大幅なズレを発生させないようにするために、主制御基板Ｍとリールドライブ基板ＲＤとは、光ファイバケーブルを介して接続されないようになっている。
【００８９】
ドア中継基板ＤＳは、リールドライブ基板ＲＤやドア側に設けられた各種のスイッチ（５０〜５６）等からキャビネットＧ側に設けられた主制御基板ＭＳへと各種の信号を一方向に中継するための基板である。図１１に示すように、ドア中継基板ＤＳは、主制御基板ＭＳのマスタとなるＩ／Ｏ通信ＬＳＩ３０５に対してスレーブとなるＩ／Ｏ通信ＬＳＩ５００及び外部入力ドライバ５０１を有する。例えば、Ｉ／Ｏ通信ＬＳＩ５００は、各種のスイッチ等（５０〜５６）からの信号を、外部入力ドライバ５０１を通じて受信するとともに所定の光通信方式に応じた光信号に変換し、これらの光信号を第２光ファイバケーブルＦＣ２を介して主制御基板ＭＳへと送信する。また、Ｉ／Ｏ通信ＬＳＩ５００は、リールドライブ基板ＲＤからの信号も受信するとともに、所定の光通信方式に応じた光信号に変換し、この光信号を第２光ファイバケーブルＦＣ２を介して主制御基板ＭＳへと送信する。
【００９０】
副中継基板ＳＮは、主として主制御基板ＭＳからのコマンドを副制御基板ＳＳへと中継するとともに、演出用の機構等と副制御基板ＳＳとの間で各種の信号を中継するための基板である。図１２に示すように、副中継基板ＳＮは、セキュリティＩＣ６００、サウンドＩＣ６０１、デジタルアンプ６０２、及びＩ２Ｃコントローラ６０３を有する。例えば、副中継基板ＳＮは、副制御基板ＳＳからの画像信号をバイパス信号としてスケーラ基板ＳＫへと送信するとともに、副制御基板ＳＳからのスクリーン駆動信号をＩ２Ｃコントローラ６０３を介してスクリーン駆動制御基板ＣＳへと送信し、２４ｈドア監視ユニット６３との間でドア監視スイッチ６４の検出信号等をやり取りする。
【００９１】
セキュリティＩＣ６００は、主制御基板ＭＳからセキュリティコマンド（暗号化された主制御基板ＭＳからの各種コマンド等）を受信し、このセキュリティコマンドを平文に変換（暗号化されたコマンドの復号化）した上で副制御基板ＳＳに送信する。サウンドＩＣ６０１は、副制御基板ＳＳからの演出用のサウンド信号を受信し、このサウンド信号に応じた信号をデジタルアンプ６０２を通じてスピーカ群６２に送信する。Ｉ２Ｃコントローラ６０３は、副制御基板ＳＳからの演出用の点灯信号を受信し、この点灯信号に応じた信号をＬＥＤ基板６０に送信するとともに、副制御基板ＳＳとスクリーン駆動制御基板ＣＳとの間で制御信号やセンサ信号をやり取りする。
【００９２】
スケーラ基板ＳＫは、主として副制御基板ＳＳから演出用の画像信号を受信するとともに、当該画像信号を分割して複数の映像表示数に応じた画像信号を生成し、これらの画像信号をプロジェクタ装置Ｂ２やサブ液晶表示装置ＤＤ１９へと送信するための基板である。図１３に示すように、スケーラ基板ＳＫは、ＭＣＵ（Ｍｉｃｒｏ Ｃｏｎｔｒｏｌ Ｕｎｉｔ）（制御ＬＳＩ）７００、多出力スケーラＬＳＩ（解像度変換ＬＳＩともいう）７１０、Ｖ−ｂｙ−ｏｎｅ ＨＳトランスミッタ７１１、７１３、ＳＤＲＡＭ（ＤＤＲ ＳＤＲＡＭ／ＤＤＲ２ ＳＤＲＡＭ／ＤＤＲ３ ＳＤＲＡＭ等）７１２、受発光回路（図中、「ＯＰＴ３」と記す）７１４及び発光回路（図中、「ＯＰＴ４」と記す）７１５を有する。ＭＣＵ７００は、副中継基板ＳＮ及び多出力スケーラＬＳＩ７１０が接続されるとともに、サブ液晶Ｉ／Ｆ基板ＳＬ及び受発光回路７１４が接続される。
【００９３】
受発光回路７１４は、ＬＥＤなどのように電気信号を光信号に変換する光電変換素子と、フォトダイオードなどのように光信号を電気信号に変換する光電変換素子とを含んで構成される。また、受発光回路７１４は、光ファイバケーブル７３、７４（図１６参照）を介してプロジェクタ制御基板Ｂ２３に接続されており、副制御基板ＳＳがスケーラ基板ＳＫを経由してプロジェクタ制御基板Ｂ２３との間でやりとりされる制御信号を光電変換する。
【００９４】
多出力スケーラＬＳＩ７１０は、入力元として副制御基板ＳＳが接続されるとともに、ＭＣＵ７００、Ｖ−ｂｙ−ｏｎｅ ＨＳトランスミッタ７１１、７１３及びＳＤＲＡＭ７１２が接続される。Ｖ−ｂｙ−ｏｎｅ ＨＳトランスミッタ７１１は、出力先としてサブ液晶Ｉ／Ｆ基板ＳＬが接続される。Ｖ−ｂｙ−ｏｎｅ ＨＳトランスミッタ７１３は、出力先として発光回路７１５が接続される。発光回路７１５は、ＬＥＤなどの光電変換素子を含んで構成され、光ファイバケーブル７１、７２（図１６参照）を介して出力先であるプロジェクタ制御基板Ｂ２３に接続される。
【００９５】
図１４に示すように、多出力スケーラＬＳＩ７１０は、図外のＭＣＵ７００及びＳＤＲＡＭ７１２と接続されるＭＣＵインターフェース（例えば、ＰＣＩ Ｅｘｐｒｅｓｓ）８００及びＳＤＲＡＭインターフェース（例えば、ＰＣＩ Ｅｘｐｒｅｓｓ）８２０、解像度変換出力ブロックを構成する、複数のセレクトエリア（ＳｅｌｅｃｔＡｒｅａ）Ａ〜Ｄ８０１〜８０４、差動シリアルインターフェースとしてのＬＶＤＳ（Ｌｏｗ Ｖｏｌｔａｇｅ Ｄｉｆｆｅｒｅｎｔｉａｌ Ｓｉｇｎａｌｉｎｇ）（１）、（２）８１１、８１２、入出力インターフェースとしてのＬＶＴＴＬ（Ｌｏｗ Ｖｏｌｔａｇｅ ＴｒａｎｓｉｓｔｏｒＴｒａｎｓｉｓｔｏｒ Ｌｏｇｉｃ）（１）、（２）８１３、８１４、並びに映像分割ブロックを構成するＤＳＦ（Ｄｏｕｂｌｅ Ｓｃａｌｉｎｇ Ｆｉｌｔｅｒ）（α）８２１、ＤＳＦ（β）８２２を有する。
【００９６】
多出力スケーラＬＳＩ７１０は、例えば画像信号としてのＬＶＤＳ信号を分割及び解像度変換して出力するものである。具体的にいうと、多出力スケーラＬＳＩ７１０は、副制御基板ＳＳからのディファレンシャル伝送による一対のＬＶＤＳ信号（ＬＤＶＳ Ｄｕａｌ：ＩｎＰｕｔＡ、ＩｎＰｕｔＢ）をＤＳＦ（α）８２１、ＤＳＦ（β）８２２で２分割し、さらに４つのセレクトエリアＡ〜Ｄ８０１〜８０４のそれぞれにより所定の解像度に変換する。その後、多出力スケーラＬＳＩ７１０は、主として、ＬＶＤＳ（１）、（２）８１１、８１２を通じてプロジェクタ表示用のＬＶＤＳ信号（ＬＶＤＳ１及びＬＶＤＳ２のシングル信号）を出力するとともに、ＬＶＴＴＬ（１）、（２）８１３、８１４を通じてサブ液晶表示用のＬＶＴＴＬ信号（ＬＶＴＴＬ１及びＬＶＴＴＬ２のＲＧＢ信号）を出力する。多出力スケーラＬＳＩ７１０から出力された一対のＬＶＤＳ信号は、Ｖ−ｂｙ−ｏｎｅ ＨＳトランスミッタ７１３及び発光回路７１５を経由した後、光ファイバケーブル７１、７２を介して一対の光信号としてプロジェクタ制御基板Ｂ２３へと送信され、ＬＶＴＴＬ信号は、Ｖ−ｂｙ−ｏｎｅ ＨＳトランスミッタ７１１あるいはＭＣＵ７００を通じてサブ液晶Ｉ／Ｆ基板ＳＬへと送信される。
【００９７】
サブ液晶Ｉ／Ｆ基板ＳＬは、主としてスケーラ基板ＳＫからの画像信号（ＬＶＴＴＬ信号）をサブ液晶表示装置ＤＤ１９へと中継するとともに、スケーラ基板ＳＫを介して副制御基板ＳＳとタッチパネルＤＤ１９Ｔとの間で各種の信号を中継するための基板である。図１５に示すように、サブ液晶Ｉ／Ｆ基板ＳＬは、ＭＣＵ９００、Ｖ−ｂｙ−ｏｎｅ ＨＳレシーバ９０１、液晶ドライバＩＣ９０２、及びＬＥＤドライバＩＣ９０３を有する。
【００９８】
例えば、サブ液晶Ｉ／Ｆ基板ＳＬは、スケーラ基板ＳＫからの画像信号をＶ−ｂｙ−ｏｎｅ ＨＳレシーバ９０１及びＭＣＵ９００で受信し、この画像信号に基づいて液晶ドライバＩＣ９０２が液晶駆動用の制御信号をサブ液晶表示装置ＤＤ１９へと送信するとともに、ＬＥＤドライバＩＣ９０３が液晶表示バックライト駆動用の制御信号をサブ液晶表示装置ＤＤ１９へと送信する。
【００９９】
これにより、サブ液晶表示装置ＤＤ１９においては、画像信号に基づく所定の解像度で映像が表示される。また、ＭＣＵ９００は、タッチパネルＤＤ１９Ｔからの操作信号を受信し、この操作信号に応じた信号をスケーラ基板ＳＫを介して副制御基板ＳＳへと送信する。これにより、副制御基板ＳＳのサブＣＰＵ４００は、タッチパネルＤＤ１９Ｔからの操作信号に応じた入力操作が認識される。なお、特に図示しないが、サブ液晶表示装置ＤＤ１９には、サーミスタ等の温度センサが組み込まれており、この温度センサからの温度検出信号がサブ液晶Ｉ／Ｆ基板ＳＬに伝えられることにより、サブ液晶Ｉ／Ｆ基板ＳＬのＭＣＵ９００が動作時の温度を認識可能となっている。
【０１００】
（スケーラ基板ＳＫとプロジェクタ制御基板Ｂ２３との接続）
【０１０１】
図１６に示すように、スケーラ基板ＳＫは、発光回路７１５及び受発光回路７１４を有し、プロジェクタ制御基板Ｂ２３は、受光回路２３５及び受発光回路２３６を有する
【０１０２】
スケーラ基板ＳＫとプロジェクタ制御基板Ｂ２３とは、光ファイバケーブル７１〜７４及び導電性ケーブル７５、７６を介して接続されており、光ファイバケーブル７１〜７４及び導電性ケーブル７５、７６は、雌コネクタ９３及び雄コネクタ９４を有する。
【０１０３】
光ファイバケーブル７１は、光ファイバケーブル８１、８７から構成されている。光ファイバケーブル８１は、一端部が発光回路７１５に接続されており、他端部が雌コネクタ９３に接続されている。光ファイバケーブル８７は、一端部が受光回路２３５に接続されており、他端部が雄コネクタ９４に接続されている。
【０１０４】
光ファイバケーブル７２は、光ファイバケーブル８２、８８から構成されている。光ファイバケーブル８２は、一端部が発光回路７１５に接続されており、他端部が雌コネクタ９３に接続されている。光ファイバケーブル８８は、一端部が受光回路２３５に接続されており、他端部が雄コネクタ９４に接続されている。
【０１０５】
光ファイバケーブル７３は、光ファイバケーブル８３、８９から構成されている。光ファイバケーブル８３は、一端部が受発光回路７１４に接続されており、他端部が雌コネクタ９３に接続されている。光ファイバケーブル８９は、一端部が受発光回路２３６に接続されており、他端部が雄コネクタ９４に接続されている。
【０１０６】
光ファイバケーブル７４は、光ファイバケーブル８４、９０から構成されている。光ファイバケーブル８４は、一端部が受発光回路７１４に接続されており、他端部が雌コネクタ９３に接続されている。光ファイバケーブル９０は、一端部が受発光回路２３６に接続されており、他端部が雄コネクタ９４に接続されている。
【０１０７】
導電性ケーブル７５は、導電性ケーブル８５、９１から構成されている。電源ラインに割り当てられている導電性ケーブル８５は、一端部が副中継基板ＳＮを経由（図７参照）してスケーラ基板ＳＫを介して電源基板ＤＥ１の直流＋１２Ｖ電源に接続されており、他端部が雌コネクタ９３に接続されている。電源ラインに割り当てられている導電性ケーブル９１は、一端部がプロジェクタ制御基板Ｂ２３の電源（直流＋１２Ｖ）に接続されており、他端部が雄コネクタ９４に接続されている。
【０１０８】
導電性ケーブル７６は、導電性ケーブル８６、９２から構成されている。グランドラインに割り当てられている導電性ケーブル８６は、一端部が副中継基板ＳＮを経由（図７参照）してスケーラ基板ＳＫを介して電源基板ＤＥ１の直流＋１２Ｖ電源用のグランド層（又はグランドパターン）に接続されており、他端部が雌コネクタ９３に接続されている。グランドラインに割り当てられている導電性ケーブル９２は、一端部がプロジェクタ制御基板Ｂ２３のグランド層（又はグランドパターン）に接続されており、他端部が雄コネクタ９４に接続されている。
【０１０９】
すなわち、本実施形態の光ファイバケーブル８１〜８４及び導電性ケーブル８５、８６は、雌コネクタ９３に一体で接続されており、光ファイバケーブル８７〜９０及び導電性ケーブル９１、９２は、雄コネクタ９４に一体で接続されている。
【０１１０】
これにより、雌コネクタ９３及び雄コネクタ９４が接続された状態において、導電性ケーブル７５、７６によってスケーラ基板ＳＫとプロジェクタ制御基板Ｂ２３とが電気的に接続され、光ファイバケーブル７１〜７４によってスケーラ基板ＳＫとプロジェクタ制御基板Ｂ２３とが光学的に接続される。
【０１１１】
光ファイバケーブル７１、７２は、スケーラ基板ＳＫからプロジェクタ制御基板Ｂ２３に画像データを光信号で送信する画像データ用の光ファイバケーブルである。光ファイバケーブル７３は、スケーラ基板ＳＫからプロジェクタ制御基板Ｂ２３に制御信号を光信号で送信する下りの制御信号用の光ファイバケーブルであり、光ファイバケーブル７４は、プロジェクタ制御基板Ｂ２３からスケーラ基板ＳＫに制御信号を光信号で送信する上りの制御信号用の光ファイバケーブルから構成されている。
【０１１２】
ここで、本実施形態の光ファイバケーブル８１〜８４及び導電性ケーブル８５、８６は、本発明の第１の配線５７を構成し、光ファイバケーブル８７〜９０及び導電性ケーブル９１、９２は、本発明の第２の配線５８を構成する。また、第１の配線５７及び第２の配線５８は、配線５９を構成する。
【０１１３】
また、雌コネクタ９３は、本発明の第１の接続部を構成し、雄コネクタ９４は、本発明の第２の接続部を構成する。さらに、スケーラ基板ＳＫおよびスケーラ基板ＳＫに接続される副制御基板ＳＳは、本発明の制御部を構成し、プロジェクタ制御基板Ｂ２３を有する表示ユニットＡは、本発明の表示部を構成する。なお、本実施形態の遊技機１において、第１の接続部を雌コネクタから構成し、第２の接続部を雄コネクタから構成しているが、第１の接続部を雄コネクタから構成し、第２の接続部を雌コネクタから構成してもよい。
（光ファイバケーブル７１〜７４、導電性ケーブル８５、８６、雌コネクタ９３及び雄コネクタ９４の構成）
【０１１４】
図１７、図１８において、雌コネクタ９３は、中央部に貫通孔９５Ａ、９５Ｂ（図２２、図２５参照）が形成された平板部９５を備えており、平板部９５の幅方向の幅方向両側には上下方向に離隔するボルト挿通孔９５Ｃが形成され（図２０参照）、ボルト挿通孔９５Ｃには円筒部材９６が挿通されている。
【０１１５】
図３２に示すように、円筒部材９６の軸線方向の両端にはフランジ部９６ａ、９６ｂが形成されており、フランジ部９６ａ、９６ｂの外径は、ボルト挿通孔９５Ｃの内径よりも大径に形成されている。円筒部材９６の外周部とボルト挿通孔９５Ｃの内周部との間には隙間Ｓ１（直径方向で約１．５ｍｍ〜２ｍｍ程度）が形成されており、円筒部材９６は、ボルト挿通孔９５Ｃの径方向に移動可能となっている。また、雌コネクタ９４の突出部９８とブラケット１４１に形成された窓１４１ａとの間には、上述の隙間Ｓ１に応じて隙間Ｓ２（垂直方向及び水平方向にそれぞれ約１．５ｍｍ〜２ｍｍ程度）が形成されている。これにより、雌コネクタ９３がキャビネットＧに対して一定の可動領域内において可動可能とされる。
【０１１６】
図１７において、平板部９５の一方の面には平板部９５から前方に突出する突出部９７が形成されており、図２２、図２３に示すように、突出部９７には凹部９７Ａが形成されている。
【０１１７】
図１７、図２０において、平板部９５の他方の面には平板部９５から後方に突出する突出部９８が形成されている。突出部９８には複数（本実施形態では６つ）の挿通穴９９〜１０４が形成されており、挿通穴９９〜１０４にはそれぞれ光ファイバケーブル８１〜８４及び導電性ケーブル８５、８６が挿通される。ここで、本実施形態の挿通穴９９〜１０４は、本発明の挿通穴を構成する。
【０１１８】
図１７において、光ファイバケーブル８１〜８４の他端部には端子プラグ１０５が設けられている。端子プラグ１０５は、光ファイバケーブル８１〜８４の他端部が取付けられるプラグ本体１０６を備えている。プラグ本体１０６にはプラグ本体１０６よりも幅が狭い端子部１０７Ａ〜１０７Ｄが設けられており、端子部１０７Ａ〜１０７Ｄは、それぞれ雌コネクタ９３の挿通穴９９〜１０２に挿通可能となっている。
【０１１９】
プラグ本体１０６には揺動プレート１０８が設けられており、揺動プレート１０８は、揺動支点部１０８ａを介してプラグ本体１０６に取付けられている。揺動プレート１０８の先端部には係止片１０８ｂが設けられており、作業者が揺動プレート１０８の基端部１０８ｃをプラグ本体１０６側に押圧すると、揺動プレート１０８が揺動支点部１０８ａを支点として揺動することにより、係止片１０８ｂが端子部１０７Ａ〜１０７Ｄから離隔する。
【０１２０】
突出部９８には係止穴９８Ａが形成されている。図２０、図２２に示すように、係止穴９８Ａは、突出部９８の上下面に形成されている。図２３、図２４に示すように、係止片１０８ｂは、端子部１０７Ｃ、１０７Ｄ（及び図示しない端子部１０７Ａ、１０７Ｂ）が挿通穴１０１、１０２（及び図示しない挿通穴９９、１００）にそれぞれ挿通された状態において、係止穴９８Ａに係止する。
【０１２１】
これにより、端子プラグ１０５が雌コネクタ９３に抜け止め係止される。ここで、本実施形態の係止片１０８ｂは、本発明の係止片を構成し、係止穴９８Ａは、本発明の係止穴を構成する。なお、揺動プレート１０８の先端部に係止穴を形成するとともに、突出部９７に係止片を形成し、端子部１０７Ａ〜１０７Ｄが挿通穴９９〜１０２にそれぞれ挿通された状態において、係止片を係止穴に係止させることにより、端子プラグ１０５を雌コネクタ９３に抜け止め係止してもよい。
【０１２２】
図１７において、端子部１０７Ａ〜１０７Ｄには円筒状の光ファイバ部１０９が取付けられている。図２３、図２４において、端子部１０７Ｃ、１０７Ｄ（及び図示しない端子部１０７Ａ、１０７Ｂ）が挿通穴１０１、１０２（及び図示しない挿通穴９９、１００）にそれぞれ挿通された状態において、光ファイバ部１０９は、平板部９５の貫通孔９５Ａに挿通され、先端が突出部９７の凹部９７Ａまで延びている。
【０１２３】
ここで、本実施形態の光ファイバケーブル８１〜８４、８７〜９０は、コアと、コアを覆うクラッドと、クラッドを覆う樹脂被膜から構成されており、光ファイバ部１０９は、コア１０９ａと、コア１０９ａを覆うクラッド１０９ｂと、クラッド１０９ｂを覆い、光ファイバケーブル８１〜８４よりも硬い樹脂材料から構成される樹脂被膜１０９ｃとから構成されている（図２８参照）。
【０１２４】
図２０において、挿通穴９９〜１０２は、形状がそれぞれ異なる多角形状に形成されている。挿通穴９９は、下端に切欠き９９ａを有し、挿通穴１００は、上下端に切欠き１００ａ、１００ｂを有する。挿通穴１０１は、下端及び幅方向両端に切欠き１０１ａ〜１０１ｃを有し、挿通穴１０２は、上端に切欠き１０２ａを有する。
【０１２５】
図２８において、光ファイバケーブル８１の端子部１０７Ａにおいて、挿通穴９９の切欠き９９ａに対応する位置には係合凸部１０７ａが形成されており、光ファイバケーブル８１の端子部１０７Ａが挿通穴９９に挿通されたときに、係合凸部１０７ａが切欠き９９ａに係合する。
【０１２６】
光ファイバケーブル８２の端子部１０７Ｂにおいて、挿通穴１００の切欠き１００ａ、１００ｂに対応する位置には係合凸部１０７ｂ、１０７ｃが形成されており、光ファイバケーブル８２の端子部１０７Ｂが挿通穴１００に挿通されたときに、係合凸部１０７ｂが切欠き１００ａに係合するとともに、係合凸部１０７ｃが切欠き１００ｂに係合する。
【０１２７】
光ファイバケーブル８３の端子部１０７Ｃにおいて、挿通穴１０１の切欠き１０１ａ〜１０１ｃに対応する位置には係合凸部１０７ｄ〜１０７ｆが形成されており、光ファイバケーブル８３の端子部１０７Ｃが挿通穴１０１に挿通されたときに、係合凸部１０７ｄ〜１０７ｆがそれぞれ切欠き１０１ａ〜１０１ｃに係合する。
【０１２８】
光ファイバケーブル８４の端子部１０７Ｄにおいて、挿通穴１０２の切欠き１０２ａに対応する位置には係合凸部１０７ｇが形成されており、光ファイバケーブル８４の端子部１０７Ｄが挿通穴１０２に挿通されたときに、係合凸部１０７ｇが切欠き１０２ａに係合する。
【０１２９】
このように本実施形態の遊技機１は、挿通穴９９〜１０２の形状をそれぞれ異なる形状に形成し、端子部１０７Ａ〜１０７Ｄの形状を挿通穴９９〜１０２の形状に合わせてそれぞれ異なる形状に形成している。
【０１３０】
図２０において、導電性ケーブル８５、８６が挿通される挿通穴１０３、１０４は、同一の四角形状に形成されており、挿通穴１０３、１０４は、挿通穴９９〜１０２とは異なる形状に形成されている。図１７、図２５、図２６、図２７において、導電性ケーブル８５、８６の他端部には端子プラグ１１０が設けられており、端子プラグ１１０は、係止片１１０ａ及びばね端子１１０ｂを有する。
【０１３１】
突出部９７の凹部９７Ａには係止部９７Ｂが形成されており、端子プラグ１１０が挿通穴１０３、１０４及び貫通孔９５Ｂに挿通された状態において、係止片１１０ａが係止部９７Ｂに係止することにより、端子プラグ１１０が挿通穴１０３、１０４に抜け止め係止される。
【０１３２】
図１７、図１８において、雄コネクタ９４は、中央部に貫通孔１１１Ａ、１１１Ｂ（図２２〜図２７参照）が形成された平板部１１１を備えており、平板部１１１の幅方向の幅方向両側には上下方向に離隔するボルト挿通孔１１１Ｃが形成されている。
【０１３３】
平板部１１１の一方の面には平板部１１１から前方に突出する突出部１１２（図２１、図２２参照）が形成されており、平板部１１１の他方の面には平板部１１１から後方に突出する突出部１１３が形成されている。
【０１３４】
図２１において、突出部１１２には複数（本実施形態では６つ）の挿通穴１１４〜１１９が形成されており、挿通穴１１４〜１１９にはそれぞれ光ファイバケーブル８７〜９０及び導電性ケーブル９１、９２が挿通される。ここで、本実施形態の挿通穴１１４〜１１９は、本発明の挿通穴を構成する。
【０１３５】
図１７において、光ファイバケーブル８７〜９０の他端部には端子プラグ１２０が設けられている。
【０１３６】
端子プラグ１２０は、光ファイバケーブル８７〜９０の他端部が取付けられるプラグ本体１２１を備えている。プラグ本体１２１にはプラグ本体１２１よりも幅が狭い端子部１２２Ａ〜１２２Ｄが設けられており、端子部１２２Ａ〜１２２Ｄは、それぞれ雄コネクタ９４の挿通穴１１４〜１１９に挿通可能となっている。
【０１３７】
プラグ本体１２１には揺動プレート１２３が設けられており、揺動プレート１２３は、揺動支点部１２３ａを介してプラグ本体１２１に取付けられている。揺動プレート１２３の先端部には係止片１２３ｂが設けられており、作業者が揺動プレート１２３の基端部１２３ｃをプラグ本体１２１側に押圧したときに、揺動プレート１２３が揺動支点部１２３ａを支点として揺動することで、係止片１２３ｂが端子部１２２Ａ〜１２２Ｄから離隔する。
【０１３８】
図２１において、突出部１１２の上下面には係止穴１１２Ａが形成されており、図２３、図２４に示すように端子部１２２Ｃ、１２２Ｄ（及び図示しない端子部１２２Ａ、１２２Ｂ）が挿通穴１１６、１１７（及び図示しない挿通穴１１４、１１５）にそれぞれ挿通された状態において、係止片１２３ｂが係止穴１１２Ａに係止する。
【０１３９】
これにより、端子プラグ１２０が雄コネクタ９４に抜け止め係止される。ここで、本実施形態の係止片１２３ｂは、本発明の係止片を構成し、係止穴１１２Ａは、本発明の係止穴を構成する。なお、揺動プレート１２３の先端部に係止穴を形成するとともに、突出部１１２に係止片を形成し、端子部１２２Ａ〜１２２Ｄが挿通穴１１４〜１１７にそれぞれ挿通された状態において、係止片を係止穴に係止させることにより、端子プラグ１２０を雄コネクタ９４に抜け止め係止してもよい。
【０１４０】
図１７において、端子部１２２には円筒状の光ファイバ部１２４が取付けられている。光ファイバ部１２４は、コア１２４ａと、コア１２４ａを覆うクラッド１２４ｂと、クラッド１２４ｂを覆い、光ファイバケーブル８７〜９０よりも硬い樹脂材料から構成される樹脂被膜１２４ｃとから構成されている（図２９参照）。
【０１４１】
図１７、図２２〜図２７において、突出部１１３には貫通孔１１３Ａ及び嵌合溝１１３Ｂが形成されており、貫通孔１１３Ａ及び嵌合溝１１３Ｂは、それぞれ平板部１１１の貫通孔１１１Ａと軸線方向に対向して貫通孔１１１Ａに連通している。
【０１４２】
図２３、図２４において、端子部１２２Ｃ、１２２Ｄ（及び図示しない端子部１２２Ａ、１２２Ｂ）が挿通穴１１６、１１７（及び図示しない挿通穴１１４、１１５）にそれぞれ挿通された状態において、光ファイバ部１２４は、平板部１１１の貫通孔１１１Ａに挿通され、先端が貫通孔１１３Ａの開口端まで延びている。
【０１４３】
図２１に示すように、挿通穴１１４〜１１９は、それぞれ形状の異なる多角形状に形成されている。挿通穴１１４は、下端及び幅方向両端に切欠き１１４ａ〜１１４ｃを有し、挿通穴１１５は、上端に切欠き１１５ａを有する。挿通穴１１６は、下端に切欠き１１６ａを有し、挿通穴１１７は、上端及び下端に切欠き１１７ａ、１１７ｂを有する。
【０１４４】
図２９において、光ファイバケーブル８７の端子部１２２Ａにおいて、挿通穴１１４の切欠き１１４ａ〜１４４ｃに対応する位置には係合凸部１２２ａ〜１２２ｃが形成されており、光ファイバケーブル８７の端子部１２２Ａが挿通穴１１４に挿通されたときに、係合凸部１２２ａ〜１２２ｃが切欠き１１４ａ〜１１４ｃに係合する。
【０１４５】
光ファイバケーブル８８の端子部１２２Ｂにおいて、挿通穴１１５の切欠き１１５ａに対応する位置には係合凸部１２２ｄが形成されており、光ファイバケーブル８８の端子部１２２Ｂが挿通穴１１５に挿通されたときに、係合凸部１２２ｄが切欠き１１５ａに係合する。
【０１４６】
光ファイバケーブル８９の端子部１２２Ｃにおいて、挿通穴１１６の切欠き１１６ａに対応する位置には係合凸部１２２ｅが形成されており、光ファイバケーブル８９の端子部１２２Ｃが挿通穴１１６に挿通されたときに、係合凸部１２２ｅが切欠き１１６ａに係合する。
【０１４７】
光ファイバケーブル８９の端子部１２２Ｄにおいて、挿通穴１１７の切欠き１１７ａ、１１７ｂに対応する位置には係合凸部１２２ｆ、１２２ｇが形成されており、光ファイバケーブル８９の端子部１２２Ｄが挿通穴１１７に挿通されたときに、係合凸部１２２ｆ、１２２ｇが切欠き１１７ａ、１１７ｂに係合する。
【０１４８】
このように本実施形態の遊技機１は、挿通穴１１４〜１１７の形状をそれぞれ異なる形状に形成し、端子部１２２Ａ〜１２２Ｄの形状を挿通穴１１４〜１１７の形状に合わせてそれぞれ異なる形状に形成している。
【０１４９】
図２１において、導電性ケーブル９１、９２が挿通される挿通穴１１８、１１９は、同一の四角形状に形成されており、挿通穴１１８、１１９は、挿通穴１１４〜１１７とは異なる形状に形成されている。挿通穴１１８、１１９は、それぞれ貫通孔１１１Ｂを通して嵌合溝１１３Ｂに連通している（図２５参照）。
【０１５０】
図１７、図２５において、導電性ケーブル９１、９２の他端部には端子プラグ１２５が設けられており、端子プラグ１２５は、係止片１２５ａ及びばね端子１２５ｂを有する。  図２５、図２６、図２７において、平板部１１１と突出部１１３の境には係止部１１８ａ、１１９ａが形成されており、端子プラグ１２５が挿通穴１１８、１１９に挿通された状態において、係止片１２５ａが係止部１１８ａ、１１９ａに係止することにより、端子プラグ１２５が挿通穴１１８、１１９に抜け止め係止される。
【０１５１】
図２４において、雌コネクタ９３及び雄コネクタ９４は、雄コネクタ９４の突出部１１３が雌コネクタ９３の凹部９７Ａに挿入されることで、接続される。このとき、光ファイバケーブル８１〜８４の端子プラグ１０５の光ファイバ部１０９の先端と、光ファイバケーブル８７〜９０の端子プラグ１２０の光ファイバ部１２４の先端とは、一定の隙間（例えば、数ｍμ程度）を介して対向している。
【０１５２】
このように一定の隙間を設けることで、雌コネクタ９３及び雄コネクタ９４を接続したときに、雌コネクタ９３及び雄コネクタ９４に対する光ファイバケーブル８１〜８４及び光ファイバケーブル８７〜９０の組み付け誤差等により、光ファイバ部１０９の先端と光ファイバ部１２４の先端とが接触して光ファイバ部１０９の先端と光ファイバ部１２４の先端との伝送面が傷付くことや、接触によって光ファイバ部１０９の先端と光ファイバ部１２４の先端との伝送面に圧力が掛かることによる伝送面の歪みを防止することができる。さらに、光ファイバ部１０９の先端と光ファイバ部１２４の先端とが過度に接触して雌コネクタ９３及び雄コネクタ９４が接続できないような事態が発生すること等を防止できる。なお、光ファイバ部１０９の先端と光ファイバ部１２４の先端との伝送面の傷や歪みの発生は、光ファイバケーブル８１〜８４及び光ファイバケーブル８７〜９０を流れる画像信号及び制御信号に大きな損傷を与えることになり、プロジェクタ装置Ｂ２から投射される映像に影響を与えることになる。
【０１５３】
なお、図２４では、隙間が開いていることを強調するために、光ファイバ部１０９の先端と光ファイバ部１２４の先端との距離を大きく描いているが、実際は、数μｍに満たない程度の隙間である。なお、光ファイバ部１０９の先端と光ファイバ部１２４の先端とが接触しても傷付くことがない圧力を担保可能であれば、光ファイバ部１０９の先端の伝送面と光ファイバ部１２４の先端の伝送面とが密着してもよい。
【０１５４】
また、光ファイバ部１０９及び光ファイバ部１２４は、それぞれのコア１０９ａ、１２４ａが樹脂被膜１０９ｃ、１２４ｃで覆われている上に、雌コネクタ９３及び雄コネクタ９４によって覆われているので、雌コネクタ９３及び雄コネクタ９４の外部と光ファイバ部１０９及び光ファイバ部１２４との間を光学的に遮断することができる。これにより、光ファイバ部１０９及び光ファイバ部１２４が外来光の影響を受けることを防止できる。
【０１５５】
このように本実施形態の遊技機１は、雌コネクタ９３及び雄コネクタ９４が接続されたときに、光ファイバ部１０９の先端と光ファイバ部１２４の先端とが一定の隙間を介して対向するこで、光ファイバケーブル８１〜８４及び光ファイバケーブル８７〜９０が光学的に接続される。
【０１５６】
一方、図２７に示すように、雌コネクタ９３及び雄コネクタ９４が接続された状態において、導電性ケーブル８５、８６の端子プラグ１１０のばね端子１１０ｂは、導電性ケーブル９１、９２の端子プラグ１２５にそれぞれ上下方向から弾性的に接触する。これにより、導電性ケーブル８５、８６と導電性ケーブル９１、９２とが電気的に接続される。
【０１５７】
図１７、図２０において、雌コネクタ９３の平板部９５には貫通孔９５Ｄが形成されており、貫通孔９５Ｄは、平板部９５の幅方向において突出部９８とボルト挿通孔９５Ｃとの間に位置している。
【０１５８】
図１７、図１８において、雄コネクタ９４の平板部１１１にはピン部材１１１Ｄが形成されており、ピン部材１１１Ｄは、平板部１１１の幅方向において突出部１１３とボルト挿通孔１１１Ｃとの間に位置し、平板部１１１の他方の面から後方に突出している。
【０１５９】
ピン部材１１１Ｄは、平板部１１１から突出する突出部１１３の突出方向長さよりも長く形成されており、ピン部材１１１Ｄは、貫通孔９５Ｄに挿入可能になっている。
【０１６０】
ピン部材１１１Ｄ及び貫通孔９５Ｄの位置は、雄コネクタ９４の突出部１１３が雌コネクタ９３の凹部９７Ａに位置ずれすることなく正規の位置で嵌合されるような位置関係となっている。
【０１６１】
これにより、凹部９７Ａに突出部１１３が挿入される前にピン部材１１１Ｄの先端が貫通孔９５Ｄに貫通された状態では、凹部９７Ａと突出部１１３とが位置決めされる。すなわち、本実施形態の遊技機１は、ピン部材１１１Ｄによって雄コネクタ９４と雌コネクタ９３とが位置決めされる。なお、ピン部材１１１Ｄは、雄コネクタ９４ではなく、雌コネクタ９３に設けられてもよく、雌コネクタ９３及び雄コネクタ９４の両方に設けられてもよい。但し、ピン部材１１１Ｄが雌コネクタ９３及び雄コネクタ９４の両方に設けられる場合には、雄コネクタ９４にピン部材が挿入される貫通孔を形成する。なお、本実施形態のピン部材１１１Ｄは、本発明の位置決め部材を構成する。
【０１６２】
図３において、キャビネットＧの後壁部Ｇ６の上部には表示ユニットＡに対向するようにしてブラケット１４１が設置されており、ブラケット１４１は、ボルト１４２によって後壁部Ｇ６に固定されている（図３０、図３１参照）。
【０１６３】
図３０において、ブラケット１４１は、コの字形状に形成されており、図３２に示すように、ブラケット１４１の前面に窓１４１ａが形成されている。雌コネクタ９３は、突出部９８がブラケット１４１の窓１４１ａに挿通されており、図３に示すように、突出部９７は、表示ユニットＡに対向している。
【０１６４】
光ファイバケーブル８１〜８４及び導電性ケーブル８５、８６は、雌コネクタ９３からブラケット１４１の背面とキャビネットＧの後壁部Ｇ６との間を通してスケーラ基板ＳＫまで延びている。
【０１６５】
図３２において、ブラケット１４１にはボルト穴１４１ｂを通してボルト１４３が挿通されている。ボルト１４３は、円筒部材９６を介してボルト挿通孔９５Ｃに挿通されており、ボルト１４３は、ナット１４４に締結されている。これにより、雌コネクタ９３は、ブラケット１４１に固定される。
【０１６６】
ここで、ボルト１４３の外周部と円筒部材９６の内周部とは密着しており、円筒部材９６は、ボルト１４３に対して相対的に移動しない。また、ブラケット１４１の窓１４１ａと突出部９８との間には隙間Ｓ２が形成されており、円筒部材９６とボルト挿通孔９５Ｃとの間には隙間Ｓ１が形成されている。これにより、雌コネクタ９３は、円筒部材９６の径方向に移動可能となっている。すなわち、本実施形態の雌コネクタ９３は、キャビネットＧに対して一定の可動領域内において可動可能となっている。この可動領域により、表示ユニットＡの取付位置の公差（誤差）を吸収するとともに、表示ユニットＡをキャビネットＧに固定した際の、雌コネクタ９３及び雄コネクタ９４に掛かる接点、すなわち、端子プラグ１１０、１２５のストレスが軽減されるとともに、光ファイバ部１０９及び光ファイバ部１２４の対向位置のずれが発生しない。
【０１６７】
図４、図５において、雄コネクタ９４は、表示ユニットＡに取付けられている。表示ユニットＡの後部において、スクリーン筐体Ｃ１０の上面と照射ユニットＢのプロジェクタカバーＢ１の下面との間に空間Ｇ７が形成されており、スクリーン筐体Ｃ１０及びプロジェクタカバーＢ１には板状のブラケット１４５が取付けられている。
【０１６８】
図３３に示すように、ブラケット１４５には図示しない窓が形成されており、この窓に雄コネクタ９４の突出部１１２が挿通されている。雄コネクタ９４は、ブラケット１４５を通して平板部１１１のボルト挿通孔１１１Ｃにボルト１４６が挿通され、このボルトに図示しないナットが螺合されることで、ブラケット１４５に固定される。
【０１６９】
光ファイバケーブル８７〜９０及び導電性ケーブル９１、９２は、雄コネクタ９４からブラケット１４５の背面を通してプロジェクタ制御基板Ｂ２３まで延びている。
【０１７０】
雄コネクタ９４の突出部１１３は、ブラケット１４５からキャビネットＧ側に突出しており、表示ユニットＡがキャビネットＧの前面側の開口部Ｂ５を通してキャビネットＧ内の中間支持板Ｇ１上に装着されたときに、雄コネクタ９４が雌コネクタ９３に接続される。
【０１７１】
本実施形態の遊技機１によれば、遊技に関する制御を実行するスケーラ基板ＳＫと、画像の表示を行う表示ユニットＡと、一端部がスケーラ基板ＳＫに接続され、他端部が雌コネクタ９３に一体で接続される光ファイバケーブル８１〜８４及び導電性ケーブル８５、８６と、一端部が表示ユニットＡのプロジェクタ制御基板Ｂ２３に接続され、他端部が雄コネクタ９４に一体で接続される光ファイバケーブル８７〜９０及び導電性ケーブル９１、９２とを備えている。
【０１７２】
そして、本実施形態の遊技機１は、雌コネクタ９３及び雄コネクタ９４を接続することにより、導電性ケーブル８５、８６、９１、９２によってスケーラ基板ＳＫとプロジェクタ制御基板Ｂ２３とを電気的に接続し、光ファイバケーブル８１〜８４、８７〜９０によってスケーラ基板ＳＫとプロジェクタ制御基板Ｂ２３とを光学的に接続している。
【０１７３】
これにより、スケーラ基板ＳＫに取付けられる第１の配線５７とプロジェクタ制御基板Ｂ２３に取付けられる第２の配線５８とのそれぞれを、導電性ケーブル８５、８６と電磁波の影響を受けない独立した光ファイバケーブル８１〜８４とで纏めることができるとともに、導電性ケーブル９１、９２と電磁波の影響を受けない独立した光ファイバケーブル８７〜９０とで纏めることができる。このため、配線５９の引き回しを簡素化して、配線５９の配線作業の作業性を向上できる。
【０１７４】
特に、本実施形態の遊技機１によれば、光ファイバケーブル８１、８２、８７、８８が、スケーラ基板ＳＫからプロジェクタ制御基板Ｂ２３に画像データを送信する画像データ用の光ファイバケーブルから構成され、光ファイバケーブル８３、８４、８９、９０が、スケーラ基板ＳＫとプロジェクタ制御基板Ｂ２３との間で制御信号のやりとりを行う制御信号用の光ファイバケーブルから構成される。これにより、スケーラ基板ＳＫ及びプロジェクタ制御基板Ｂ２３との間で、高速で大容量の画像データと画像データに比べて比較的に低速な制御信号とを並走できる。
【０１７５】
これにより、高速な画像信号ラインを構成する画像データ用の光ファイバケーブル８１、８２、８７、８８から低速な制御信号ラインを構成する制御信号用の光ファイバケーブル８３、８４、８９、９０に電気的なノイズの影響が与えられることを防止できる。
【０１７６】
また、本実施形態の遊技機１によれば、何らかの原因で光ファイバケーブル８１〜８４、８７〜９０、または雌コネクタ９３、雄コネクタ９４に外力が加わってもスケーラ基板ＳＫと表示ユニットＡとの光学的な接続を維持することができる。さらに、配線に電磁波（外来ノイズ）が照射されても、スケーラ基板ＳＫと表示ユニットＡとが光ファイバケーブル８１〜８４、８７〜９０によって接続されていることで、画像信号及び制御信号が電磁波の影響を受けることがなく、鮮明な画像を維持できる。これにより、遊技機１の信頼性が低下することを防止できる。
特に、本実施形態の遊技機１にあっては、何らかの原因で光ファイバケーブル８１〜８４、８７〜９０または雌コネクタ９３、雄コネクタ９４に外力が加わっても、光ファイバケーブル８１〜８４、８７〜９０によってスケーラ基板ＳＫと表示ユニットＡとの光学的な接続を維持するために、雌コネクタ９３の平板部９５に形成されたボルト挿通穴９５Ｃに設けられた円筒部材９６の隙間Ｓ１と、雌コネクタ９３の突出部９７とブラケット１４１に形成された窓１４１ａとの隙間Ｓ２により、光ファイバケーブル８１〜８４、８７〜９０、雌コネクタ９３または雄コネクタ９４に加わった外力を吸収するフローティング機構を形成することで、光ファイバケーブル８１〜８４及び光ファイバケーブル８７〜９０の光学的な接続を維持できる。すなわち、隙間Ｓ１及び隙間Ｓ２によってスケーラ基板ＳＫと表示ユニットＡとの間の画像信号、制御信号及び電力の供給を継続できる。これにより、遊技機１の信頼性が低下することをより確実に防止できる。
【０１７７】
また、本実施形態の遊技機１によれば、光ファイバケーブル８１〜８４の端子プラグ１０５が、光ファイバケーブル８１〜８４の他端部が取付けられるプラグ本体１０６と、プラグ本体１０６よりも狭い幅を有し、雌コネクタ９３の挿通穴９９〜１０２に挿通可能な端子部１０７と、揺動支点部１０８ａを介してプラグ本体１０６に取付けられた揺動プレート１０８と、揺動プレート１０８の先端部に設けられた係止片１０８ｂとを備え、作業者が揺動プレート１０８の基端部１０８ｃをプラグ本体１０６側に押圧すると、揺動プレート１０８が揺動支点部１０８ａを支点として揺動することにより、係止片１０８ｂが、端子部１０７Ａ〜１０７Ｄから離隔するように構成される。また、雌コネクタ９３の突出部９８に係止穴９８Ａが形成されており、係止穴９８Ａに係止片１０８ｂが係止される。
【０１７８】
このように端子プラグ１０５を用いて光ファイバケーブル８１〜８４を雌コネクタ９３に接続するときには、作業者が揺動プレート１０８の基端部１０８ｃをプラグ本体１０６側に押圧することにより、係止片１０８ｂを端子部１０７から離隔させて、端子部１０７と係止片１０８ｂとの隙間を大きくする。
【０１７９】
この状態で、端子部１０７を挿通穴９９〜１０２に挿通した後に、揺動プレート１０８の押圧を解除することにより、係止片１０８ｂを係止穴９８Ａに係止させる。これにより、端子プラグ１０５が雌コネクタ９３に抜け止め係止され、光ファイバケーブル８１〜８４が雌コネクタ９３に抜け止め係止される。
【０１８０】
また、本実施形態の遊技機１によれば、光ファイバケーブル８７〜９０の端子プラグ１２０が、光ファイバケーブル８７〜９０の他端部が取付けられるプラグ本体１２１と、プラグ本体１２１よりも狭い幅を有し、雄コネクタ９４の挿通穴１１４〜１１７に挿通可能な端子部１２２と、揺動支点部１２３ａを介してプラグ本体１２１に取付けられた揺動プレート１２３と、揺動プレート１２３の先端部に設けられた係止片１２３ｂとを備え、作業者が揺動プレート１２３の基端部１２３ｃをプラグ本体１２１側に押圧すると、揺動プレート１２３が揺動支点部１２３ａを支点として揺動することにより、係止片１２３ｂが、端子部１２２Ａ〜１２２Ｄから離隔する。また、雄コネクタ９４の突出部１１２に係止穴１１２Ａが形成されており、係止穴１１２Ａに係止片１２３ｂが係止される。
【０１８１】
このように端子プラグ１２０を用いて光ファイバケーブル８７〜９０を雄コネクタ９４に接続するときには、作業者が揺動プレート１２３の基端部１２３ｃをプラグ本体１２１側に押圧することにより、係止片１２３ｂを端子部１２２から離隔させて、端子部１２２と係止片１２３ｂとの隙間を大きくする。
【０１８２】
この状態で、端子部１２２を挿通穴１１４〜１１７に挿通した後に、揺動プレート１２３の押圧を解除することにより、係止片１２３ｂを係止穴１１２Ａに係止させる。これにより、端子プラグ１２０が雄コネクタ９４に抜け止め係止され、光ファイバケーブル８７〜９０が雄コネクタ９４に抜け止め係止される。
【０１８３】
この結果、光ファイバケーブル８１〜８４、８７〜９０を雌コネクタ９３及び雄コネクタ９４から外れ難くして、スケーラ基板ＳＫとプロジェクタ制御基板Ｂ２３とを光学的に安定して接続できる。
【０１８４】
また、本実施形態の遊技機１によれば、雌コネクタ９３が、光ファイバケーブル８１〜８４が挿通される挿通穴９９〜１０２と、導電性ケーブル８５、８６が挿通される挿通穴１０３、１０４とを有し、挿通穴９９〜１０２の形状と挿通穴１０３、１０４の形状とがそれぞれ異なる形状に形成されている。
【０１８５】
また、雄コネクタ９４が、光ファイバケーブル８７〜９０が挿通される挿通穴１１４〜１１７と、導電性ケーブル９１、９２が挿通される挿通穴１１８、１１９とを有し、挿通穴１１４〜１１７の形状と挿通穴１１８、１１９の形状とそれぞれ異なる形状に形成されている。
【０１８６】
これにより、雌コネクタ９３及び雄コネクタ９４に対して導電性ケーブル８５、８６、９１、９２と光ファイバケーブル８１〜８４、８７〜９０とを正規の位置に取付けることができ、導電性ケーブル８５、８６、９１、９２と光ファイバケーブル８１〜８４、８７〜９０との差し間違いが発生することを防止できる。
【０１８７】
このため、遊技機１の組み立て工程において、予め、導電性ケーブル８５、８６、９１、９２及び光ファイバケーブル８１〜８４、８７〜９０が正規の位置に取付けられていない雌コネクタ９３及び雄コネクタ９４がスケーラ基板ＳＫとプロジェクタ制御基板Ｂ２３とに接続されてしまうことを防止できる。
【０１８８】
したがって、スケーラ基板ＳＫ及びプロジェクタ制御基板Ｂ２３に対する雌コネクタ９３及び雄コネクタ９４の差し間違いの検査や雌コネクタ９３及び雄コネクタ９４の差し間違いによる遊技機１の再組み立て等の工程を無くすことができる。この結果、遊技機１の製造時間を短縮でき、遊技機１の製造コストを低減できる。
【０１８９】
また、光ファイバケーブル８１〜８４の端子プラグ１０５が、画像信号用の光ファイバケーブル８１、８２と制御信号用の光ファイバケーブル８３、８４とで用途の異なる挿通穴９９〜１０２に誤接続されることを防止できる。さらに、光ファイバケーブル８７〜９０の端子プラグ１２０が、画像信号用の光ファイバケーブル８７、８８と制御信号用の光ファイバケーブル８９、９０とで用途の異なる挿通穴１１４〜１１７に誤接続されることを防止できる。
【０１９０】
例えば、雌コネクタ９３、９４を接続したときに、スケーラ基板ＳＫからプロジェクタ制御基板Ｂ２３に制御信号を下りの制御信号用の光ファイバケーブル８３と、プロジェクタ制御基板Ｂ２３からスケーラ基板ＳＫに上りの制御信号用を送信する光ファイバケーブル９０とが光学的に接続されてしまうことを防止できる。
【０１９１】
また、本実施形態の遊技機１によれば、光ファイバケーブル８１〜８４が挿通される雌コネクタ９３の挿通穴９９〜１０２の形状がそれぞれ異なる形状に形成されているとともに、光ファイバケーブル８７〜９０が挿通される雄コネクタ９４の挿通穴１１４〜１１７の形状がそれぞれ異なる形状に形成されている。
【０１９２】
これにより、雌コネクタ９３及び雄コネクタ９４に対して光ファイバケーブル８１〜８４、８７〜９０を正規の位置に取付けることができ、光ファイバケーブル８１〜８４、８７〜９０の差し間違いが発生することを防止できる。
【０１９３】
このため、遊技機１の組み立て工程において、予め、光ファイバケーブル８１〜８４、８７〜９０が正規の位置に取付けられていない雌コネクタ９３及び雄コネクタ９４がスケーラ基板ＳＫとプロジェクタ制御基板Ｂ２３とに接続されてしまうことを防止できる。
【０１９４】
このため、スケーラ基板ＳＫ及びプロジェクタ制御基板Ｂ２３に対する雌コネクタ９３及び雄コネクタ９４の差し間違いによる検査不良及び差し間違いによる遊技機１の再組み立てと再組み立て後の再検査等の工程を無くすことができる。この結果、遊技機１の製造時間をより効果的に短縮でき、遊技機１の無駄な製造コストの発生を抑制することができる。
【０１９５】
特に、本実施形態の遊技機１においては、スケーラ基板ＳＫからプロジェクタ制御基板Ｂ２３に下りの制御信号用を送信する光ファイバケーブル８３、８９と、プロジェクタ制御基板Ｂ２３からスケーラ基板ＳＫに上りの制御信号用を送信する上りの制御信号用の光ファイバケーブル８４、９０とを有する。
【０１９６】
このため、それぞれの雌コネクタ９３及び雄コネクタ９４において、光ファイバケーブル８３、８４の端子プラグ１０５が挿通される挿通穴１０１、１０２を異なる形状に形成し、光ファイバケーブル８９、９０の端子プラグ１２０が挿通される挿通穴１１６、１１７を異なる形状に形成することで、雌コネクタ９３及び雄コネクタ９４の正規の位置に下りの制御信号用の光ファイバケーブル８３、８９及び上りの制御信号用の光ファイバケーブル８４、９０を接続することができる。
【０１９７】
これにより、スケーラ基板ＳＫ及びプロジェクタ制御基板Ｂ２３に対する雌コネクタ９３及び雄コネクタ９４の差し間違いの検査や差し間違いによる遊技機１の再組み立て等の工程をより効果的に無くすことができる。この結果、遊技機１の製造時間をより効果的に短縮でき、遊技機１の製造コストをより効果的に低減できる。
【０１９８】
また、本発明の遊技機１によれば、前面側に開口部Ｇ５を有するキャビネットＧを備え、表示ユニットＡが、開口部Ｇ５を通してキャビネットＧに着脱可能に設けられ、キャビネットＧに雌コネクタ９３が設けられるとともに、表示ユニットＡに雄コネクタ９４が設けられている。
【０１９９】
これにより、表示ユニットＡをキャビネットＧに装着したときに、光ファイバケーブル８１〜８４及び導電性ケーブル８５、８６が纏められた雌コネクタ９３に、光ファイバケーブル８７〜９０及び導電性ケーブル９１、９２が纏められた雄コネクタ９４を接続することができる。
【０２００】
このため、雌コネクタ９３及び雄コネクタ９４を介して光ファイバケーブル８１〜８４及び導電性ケーブル８５、８６と光ファイバケーブル８７〜９０及び導電性ケーブル９１、９２とを容易に接続することができ、配線５９の引き回しをより効果的に簡素化して、配線５９の配線作業の作業性をより効果的に向上できる。
【０２０１】
また、本実施形態の遊技機１によれば、雌コネクタ９３が円筒部材９６を有し、雌コネクタ９３が円筒部材９６を介してキャビネットＧに対して一定の可動領域内（隙間Ｓ１内）において可動可能に取付けられている。
【０２０２】
これにより、表示ユニットＡをキャビネットＧに装着し、雌コネクタ９３の凹部９７Ａに雄コネクタ９４の突出部１１３を挿入して、雌コネクタ９３を雄コネクタ９４に接続する際に、雌コネクタ９３を雄コネクタ９４に対して一定の可動領域内で可動させることで、雌コネクタ９３と雄コネクタ９４とを円滑に接続できる。
【０２０３】
このため、表示ユニットＡとキャビネットＧとの組み付け誤差等を吸収することができ、キャビネットＧに対する表示ユニットＡの組み付け作業の作業性を向上できる。
【０２０４】
また、本発明の遊技機１によれば、雄コネクタ９４の平板部１１１にピン部材１１１Ｄを設け、雌コネクタ９３に、ピン部材１１１Ｄが挿入される貫通孔９５Ｄを形成した。
【０２０５】
これにより、雌コネクタ９３及び雄コネクタ９４を接続する際に、雌コネクタ９３の凹部９７Ａに雄コネクタ９４の突出部１１３が挿入される前にピン部材１１１Ｄの先端が貫通孔９５Ｄに貫通された状態において、凹部９７Ａと突出部１１３とを位置決することができる。
【０２０６】
この後、ピン部材１１１Ｄを貫通孔９５Ｄにさらに挿入するに連れて突出部９７を凹部９７Ａに円滑に挿入して、雌コネクタ９３と雄コネクタ９４とを円滑に接続することができる。特に、本実施形態の遊技機１においては、ピン部材１１１Ｄの位置決めと相俟って雌コネクタ９３を一定の可動範囲で可動自在とすることで、雌コネクタ９３と雄コネクタ９４とをより効果的に円滑に接続することができる。
【０２０７】
なお、本実施形態の遊技機１においては、雌コネクタ９３及び雄コネクタ９４のそれぞれの挿通穴９９〜１０４、１１３〜１１９の形状をそれぞれ異なる形状に形成し、光ファイバケーブル８１〜８４、８７〜９０の形状を挿通穴９９〜１０２、１１４〜１１６の形状に合わせることで、光ファイバケーブル８１〜８４、８７〜９０及び導電性ケーブル８５、８６、９１、９２が挿通穴９９〜１０４、１１３〜１１９に誤接続されることを防止しているが、これに限定されるものではない。
【０２０８】
例えば、図３４において、雌コネクタ９３の平板部９５の貫通孔９５Ａに代えて、平板部９５の貫通孔９５Ｆ、９５Ｇ、９５Ｈ、９５Ｉの内周形状をそれぞれ円形、四角形、六角形、菱形に形成する。
【０２０９】
また、図３５に示すように、光ファイバケーブル８１〜８４の端子プラグ１０５の端子部１０７を同一の四角形状に形成し、光ファイバ部１０９の樹脂被膜１０９ｃに代えて、樹脂被膜１０９ｄ、１０９ｅ、１０９ｆ、１０９ｇの外径形状をそれぞれ円形、四角形、六角形、菱形に形成してもよい。このようにしても光ファイバケーブル８１〜８４の端子プラグ１０５が、画像信号用の光ファイバケーブル８１、８２と制御信号用の光ファイバケーブル８３、８４とで用途の異なる挿通穴９９〜１０２に誤接続されることを防止できる。
【０２１０】
また、図３６に示すように、雄コネクタ９４の平板部１１１の貫通孔１１１Ａ及び貫通孔１１１Ａに連通する突出部１１３の貫通孔１１３Ａに代えて、雄コネクタ９４の平板部１１１の貫通孔１１１Ｆ、１１１Ｇ、１１１Ｈ、１１１Ｉ及び貫通孔１１１Ｆ、１１１Ｇ、１１１Ｈ、１１１Ｉに連通する突出部１１３の図示しない貫通孔（図２２〜図２４の貫通孔１１３Ａに相当する）の内周形状をそれぞれ円形、四角形、六角形、菱形に形成する。
【０２１１】
また、図３７に示すように、光ファイバケーブル８７〜９０の端子プラグ１２０の端子部１２２を同一の四角形状に形成し、光ファイバ部１２４の樹脂被膜１２４ｃに代えて、樹脂被膜１２４ｄ、１２４ｅ、１２４ｆ、１２４ｇの外径形状をそれぞれ円形、四角形、六角形、菱形に形成してもよい。このようにしても光ファイバケーブル８７〜９０の端子プラグ１２０が、画像信号用の光ファイバケーブル８７、８８と制御信号用の光ファイバケーブル８９、９０とで用途の異なる挿通穴１１４〜１１７に誤接続されることを防止できる。
【０２１２】
なお、本実施形態の雌コネクタ９３、９４のそれぞれは、光ファイバケーブルが挿通された４つの挿通穴が形成され、導電性ケーブルが挿通される２つの挿通穴が形成されているが、挿通穴の数は、これに限定されるものではなく、必要に応じて任意の数の挿通穴が形成されてもよい。
【０２１３】
また、雌コネクタ９３、９４のそれぞれにおいて、挿通穴９９〜１０２及び挿通穴１１４〜１１７の形状を全て異なる形状に形成しているが、挿通穴９９〜１０２及び挿通穴１１４〜１１７の形状は、一部が異なる形状であればよい。
【０２１４】
さらに、本実施形態の遊技機１において、制御部を副制御基板ＳＳから構成し、表示部を表示ユニットＡから構成しているが、これに限定されるものではなく、制御部としては、遊技に関する制御を実行するものであれば、他の装置に適用でき、表示部としては、画像の表示を行うものであれば、他の装置に適用できる。また、表示部として、前面扉に液晶表示装置を配置し、制御部をキャビネットＧ側に配置した場合であれば、前面扉に第２の接続部を配置し、キャビネットＧ（本体）に第１の接続部を配置するようにしてもよい。
【０２１５】
また、本実施形態においては、本発明に係る遊技機としてパチスロ機を例に説明したが、これに限定されず、本発明に係る遊技機は、パチンコ遊技機等、他の遊技機にも適用することができる。また、遊技機に限定されるものでもない。例えば、パチンコ遊技機に本発明を適用する場合であれば、パチンコ遊技機の本体枠と遊技盤面側との接続に適用してもよい。また、接続される機器は、制御部と表示部に限定されるものではなく、例えば、パチンコ遊技機であれば、本体枠に配置される払出制御基板と遊技盤面側に配置される主制御基板の接続に適用してもよい。
【符号の説明】
【０２１６】
１  遊技機
８１〜８４...光ファイバケーブル（光ファイバケーブル、第１の配線）
８１，８２，８７，８８...光ファイバケーブル（画像データ用の光ファイバケーブル）
８３，８４，８９，９０...光ファイバケーブル（制御信号用の光ファイバケーブル）
８５，８６...導電性ケーブル（導電性ケーブル、第１の配線）
８７〜９０...光ファイバケーブル（光ファイバケーブル、第２の配線）
９１，９２...導電性ケーブル（導電性ケーブル、第２の配線）
９３...雌コネクタ（第１の接続部）
９４...雄コネクタ（第２の接続部）
９８Ａ，１１２Ａ...係止穴（係止穴）
９９〜１０４，１１４〜１１９...挿通穴（挿通穴）
９９〜１０２，１１４〜１１７...挿通穴（光ファイバケーブルが挿通される挿通穴）
１０３，１０４，１１７，１１８...挿通穴（導電性ケーブルが挿通される前記挿通穴）
１０８ｂ，１２３ｂ...係止片（係止片）
１１１Ｄ...ピン部材（位置決め部材）
ＳＳ...副制御基板（制御部）
ＳＫ...スケーラ基板（制御部）
Ａ...表示ユニット（表示部）
Ｇ...キャビネット（本体）
Ｇ５...開口部（開口部）
【図１】
2017012525.tif 000003
【図２】
2017012525.tif 000004
【図３】
2017012525.tif 000005
【図４】
2017012525.tif 000006
【図５】
2017012525.tif 000007
【図６】
2017012525.tif 000008
【図７】
2017012525.tif 000009
【図８】
2017012525.tif 000010
【図９】
2017012525.tif 000011
【図１０】
2017012525.tif 000012
【図１１】
2017012525.tif 000013
【図１２】
2017012525.tif 000014
【図１３】
2017012525.tif 000015
【図１４】
2017012525.tif 000016
【図１５】
2017012525.tif 000017
【図１６】
2017012525.tif 000018
【図１７】
2017012525.tif 000019
【図１８】
2017012525.tif 000020
【図１９】
2017012525.tif 000021
【図２０】
2017012525.tif 000022
【図２１】
2017012525.tif 000023
【図２２】
2017012525.tif 000024
【図２３】
2017012525.tif 000025
【図２４】
2017012525.tif 000026
【図２５】
2017012525.tif 000027
【図２６】
2017012525.tif 000028
【図２７】
2017012525.tif 000029
【図２８】
2017012525.tif 000030
【図２９】
2017012525.tif 000031
【図３０】
2017012525.tif 000032
【図３１】
2017012525.tif 000033
【図３２】
2017012525.tif 000034
【図３３】
2017012525.tif 000035
【図３４】
2017012525.tif 000036
【図３５】
2017012525.tif 000037
【図３６】
2017012525.tif 000038
【図３７】
2017012525.tif 000039